(57)【要約】  本発明の実施形態は、ネットワークスライス選択方法、無線アクセス装置、および端末に関する。本方法は、無線アクセス装置（RAN）により、ネットワークスライス情報を取得するステップと、RANにより、ネットワークスライス情報を含む第1のメッセージを端末に送信するステップと、RANにより、端末がネットワークスライス情報に基づいて端末によるアクセス対象の第1のネットワークスライスの第1の属性情報を選択した後に端末によって送信された第1のアクセス要求メッセージを受信するステップと、RANにより、第1のネットワークスライスの第1の属性情報に基づいて、端末によるアクセス対象の第2のネットワークスライスを判定するステップと、を含み得る。本方法によれば、ネットワークスライスをオペレータが柔軟に構成できるようになり、端末がネットワークスライスを選択する過程における通信レイテンシおよびシグナリングオーバーヘッドが低減される。
2019526211.tif 000002
【特許請求の範囲】
【請求項１】
ネットワークスライス選択方法であって、
無線アクセス装置（RAN）により、ネットワークスライス情報を取得するステップと、
前記RANにより、第1のメッセージを端末に送信するステップであって、前記第1のメッセージが前記ネットワークスライス情報を含む、ステップと、
前記RANにより、前記端末が前記ネットワークスライス情報に基づいて前記端末によるアクセス対象の第1のネットワークスライスの第1の属性情報を選択した後に前記端末によって送信された第1のアクセス要求メッセージを受信するステップと、
前記RANにより、前記第1のネットワークスライスの前記第1の属性情報に基づいて、前記端末によるアクセス対象の第2のネットワークスライスを判定するステップと、
を含む方法。
【請求項２】
無線アクセス装置（RAN）により、ネットワークスライス情報を取得する前記ステップが、
前記RANにより、コアネットワーク（CN）、または運用、管理、および保守（OAM）装置から前記ネットワークスライス情報を取得するステップ
を特に含む、請求項1に記載の方法。
【請求項３】
前記ネットワークスライス情報が少なくとも1つのネットワークスライスの第2の属性情報を含み、
前記RANにより、第1のメッセージを端末に送信する前記ステップの前に、前記方法が、
前記RANにより、前記少なくとも1つのネットワークスライスの前記第2の属性情報に基づいて、各ネットワークスライスの専用アクセスリソース情報を判定するステップ
をさらに含み、
前記RANにより、第1のメッセージを端末に送信する前記ステップが、
前記RANにより、前記第1のメッセージを前記端末に送信するステップであって、前記第1のメッセージが前記少なくとも1つのネットワークスライスの前記第2の属性情報および各ネットワークスライスの前記専用アクセスリソース情報を含む、ステップ
を特に含み、
前記RANにより、前記端末が前記ネットワークスライス情報に基づいて前記端末によるアクセス対象の第1のネットワークスライスの第1の属性情報を選択した後に前記端末によって送信された第1のアクセス要求メッセージを受信する前記ステップが、
前記RANにより、前記端末が前記少なくとも1つのネットワークスライスの前記第2の属性情報および各ネットワークスライスの前記専用アクセスリソース情報に基づいて前記端末によるアクセス対象の前記第1のネットワークスライスの前記第1の属性情報を選択した後に前記端末によって送信された前記第1のアクセス要求メッセージを受信するステップ
を特に含む、請求項1に記載の方法。
【請求項４】
前記ネットワークスライス情報が少なくとも1つのネットワークスライスの第1の識別子情報を含み、
前記RANにより、第1のメッセージを端末に送信する前記ステップが、
前記RANにより、前記第1のメッセージを前記端末に送信するステップであって、前記第1のメッセージが前記少なくとも1つのネットワークスライスの前記第1の識別子情報を含む、ステップ
を特に含み、
前記RANにより、前記端末が前記ネットワークスライス情報に基づいて前記端末によるアクセス対象の第1のネットワークスライスの第1の属性情報を選択した後に前記端末によって送信された第1のアクセス要求メッセージを受信する前記ステップが、
前記RANにより、前記端末が前記少なくとも1つのネットワークスライスの前記第1の識別子情報に基づいて前記第1のネットワークスライスの前記第1の属性情報を選択した後に前記端末によって送信された前記第1のアクセス要求メッセージを受信するステップであって、前記第1のアクセス要求メッセージが前記第1のネットワークスライスの第1の識別子情報を含む、ステップ
を特に含む、請求項1に記載の方法。
【請求項５】
前記RANにより、第1のメッセージを端末に送信する前記ステップの前に、前記方法は、
前記RANにより、前記端末によって送信された第3のメッセージを受信するステップであって、前記第3のメッセージが、前記端末が前記RANにアクセスしようとしていることを示す指示情報を含む、ステップと、
前記RANにより、前記指示情報に基づいて前記第1のメッセージを前記端末に送信するステップと、
をさらに含む、請求項3または4に記載の方法。
【請求項６】
前記ネットワークスライス情報が少なくとも1つのネットワークスライスの第2の属性情報を含み、
前記RANにより、第1のメッセージを端末に送信する前記ステップの前に、前記方法は、
前記RANにより、前記少なくとも1つのネットワークスライスの前記第2の属性情報に基づいて、前記少なくとも1つのネットワークスライスの専用アクセスリソース情報および前記少なくとも1つのネットワークスライスの共通アクセスリソース情報を判定するステップと、
前記RANにより、前記ネットワークスライスの前記共通アクセスリソース情報に基づいて、前記ネットワークスライスにプリアンブル割り当てを実行して、グループ化によって取得されたネットワークスライスグループに関する情報、前記ネットワークスライスグループの共通アクセスリソース情報、および前記ネットワークスライスグループの前記共通アクセスリソース情報に対応するプリアンブルを取得するステップと、
前記RANにより、第4のメッセージを前記端末に送信するステップであって、前記第4のメッセージが前記ネットワークスライスグループの前記共通アクセスリソース情報、前記ネットワークスライスグループに関する前記情報、および前記ネットワークスライスグループの前記共通アクセスリソース情報に対応する前記プリアンブルを含む、ステップと、
前記RANにより、前記端末によって送信された第5のメッセージを受信するステップであって、前記第5のメッセージが、前記端末によるアクセス対象であり、かつ前記ネットワークスライスグループの前記共通アクセスリソース情報、前記ネットワークスライスグループに関する前記情報、および前記ネットワークスライスグループの前記共通アクセスリソース情報に対応する前記プリアンブルに基づいて前記端末によって選択される、ネットワークスライスグループのプリアンブルを含む、ステップと、
前記RANにより、前記ネットワークスライスグループの前記プリアンブルに基づいて、前記端末によって選択された前記ネットワークスライスグループを判定するステップと、
をさらに含み、
前記RANにより、第1のメッセージを端末に送信する前記ステップが、
前記RANにより、前記ネットワークスライスグループに基づいて前記第1のメッセージを前記端末に送信するステップであって、前記第1のメッセージが前記ネットワークスライスグループ内の各ネットワークスライスの専用アクセスリソース情報および前記ネットワークスライスグループ内の各ネットワークスライスの第2の属性情報を含む、ステップ
を特に含み、
前記RANにより、前記端末が前記ネットワークスライス情報に基づいて前記端末によるアクセス対象の第1のネットワークスライスの第1の属性情報を選択した後に前記端末によって送信された第1のアクセス要求メッセージを受信する前記ステップが、
前記RANにより、前記端末が前記少なくとも1つのネットワークスライスの前記第2の属性情報および各ネットワークスライスの前記専用アクセスリソース情報に基づいて前記端末によるアクセス対象の前記第1のネットワークスライスの前記第1の属性情報および前記第1のネットワークスライスの専用アクセスリソース情報を選択した後に前記端末によって送信された前記第1のアクセス要求メッセージを受信するステップ
を特に含む、請求項1に記載の方法。
【請求項７】
前記ネットワークスライス情報が少なくとも1つのネットワークスライスの第2の属性情報を含み、
前記RANにより、第1のメッセージを端末に送信する前記ステップの前に、前記方法は、
前記RANにより、前記少なくとも1つのネットワークスライスの前記第2の属性情報に基づいて、各ネットワークスライスの第2の識別子情報を判定するステップ
をさらに含み、
前記RANにより、第1のメッセージを端末に送信する前記ステップが、
前記RANにより、前記第1のメッセージを前記端末に送信するステップであって、前記第1のメッセージが各ネットワークスライスの前記第2の識別子情報を含む、ステップ
を特に含み、
前記RANにより、前記端末が前記ネットワークスライス情報に基づいて前記端末によるアクセス対象の第1のネットワークスライスの第1の属性情報を選択した後に前記端末によって送信された第1のアクセス要求メッセージを受信する前記ステップが、
前記RANにより、前記端末が前記少なくとも1つのネットワークスライスの前記第2の識別子情報および前記少なくとも1つのネットワークスライスの前記第2の属性情報に基づいて前記第1のネットワークスライスの第2の識別子情報を選択した後に前記端末によって送信された前記第1のアクセス要求メッセージを受信するステップであって、前記第1のアクセス要求メッセージが前記第1のネットワークスライスの前記第2の識別子情報を含む、ステップ
を特に含む、請求項1に記載の方法。
【請求項８】
（前記RANによる選択）
前記RANにより、前記第1のネットワークスライスの前記第1の属性情報に基づいて、前記端末によるアクセス対象の第2のネットワークスライスを判定する前記ステップが、
前記RANによってサポートされるネットワークスライスの無線リソース情報が、前記第1のネットワークスライスの前記第1の属性情報によってサポートされるサービス機能を満たさない場合、前記RANにより、アクセス要求拒否メッセージを前記端末に送信するステップ、もしくは前記RANにより、前記第1のネットワークスライスの前記第1の属性情報によってサポートされるものと同じサービス機能を有する第2のネットワークスライスを前記端末のために選択するステップであって、前記第1のネットワークスライスが前記第2のネットワークスライスとは異なる、ステップ、または
前記RANによってサポートされるネットワークスライスの無線リソース情報が、前記第1のネットワークスライスの前記第1の属性情報によってサポートされるサービス機能を満たす場合、前記RANにより、前記端末によるアクセス対象の前記第2のネットワークスライスを判定するステップであって、前記第1のネットワークスライスが前記第2のネットワークスライスと同じである、ステップ
を特に含む、請求項1に記載の方法。
【請求項９】
（前記RANによる選択）
前記第1のアクセス要求メッセージが前記端末の属性情報をさらに含み、
前記RANにより、前記第1のネットワークスライスの前記第1の属性情報に基づいて、前記端末によるアクセス対象の第2のネットワークスライスを判定する前記ステップが、
前記端末の前記属性情報が、前記第1のネットワークスライスの前記第1の属性情報によってサポートされるサービス機能を満たさない場合、前記RANにより、アクセス要求拒否メッセージを前記端末に送信するステップ、もしくは前記RANにより、前記第1のネットワークスライスの前記第1の属性情報によってサポートされるものと同じサービス機能を有する第2のネットワークスライスを前記端末のために選択するステップであって、前記第1のネットワークスライスが前記第2のネットワークスライスとは異なる、ステップ、または
前記端末の前記属性情報が、前記第1のネットワークスライスの前記第1の属性情報によってサポートされるサービス機能を満たす場合、前記RANにより、前記端末によるアクセス対象の前記第2のネットワークスライスを判定するステップであって、前記第1のネットワークスライスが前記第2のネットワークスライスと同じである、ステップ
を特に含む、請求項1に記載の方法。
【請求項１０】
前記RANにより、第2のアクセス要求メッセージをCNに送信するステップであって、前記第2のアクセス要求メッセージが、前記端末によるアクセス対象であり、かつ前記RANによって判定される前記第2のネットワークスライスの第1の属性情報を含む、ステップと、
前記RANにより、前記端末によるアクセス対象であり、かつ前記RANによって判定される前記第2のネットワークスライスの第2の属性情報に基づいて前記CNによって送信された第2のアクセス応答メッセージを受信するステップと、
前記RANにより、第1のアクセス応答メッセージを前記端末に送信するステップであって、前記第1のアクセス応答メッセージが、前記端末が前記第2のネットワークスライスにアクセスするように、前記端末によるアクセス対象であり、かつ前記CNによって選択される前記第2のネットワークスライスの前記第1の属性情報を含む、ステップと、
をさらに含む、請求項1に記載の方法。
【請求項１１】
ネットワークスライス選択方法であって、
端末により、RANによって送信された第1のメッセージを受信するステップであって、前記第1のメッセージが前記RANによって取得されたネットワークスライス情報を含む、ステップと、
前記端末により、前記ネットワークスライス情報に基づいて、アクセス対象の第1のネットワークスライスの第1の属性情報を選択するステップと、
前記端末により、前記RANが前記端末によるアクセス対象の第2のネットワークスライスを判定するように、前記第1のネットワークスライスの前記第1の属性情報に基づいて、第1のアクセス要求メッセージを前記RANに送信するステップと、
を含む方法。
【請求項１２】
前記ネットワークスライス情報が少なくとも1つのネットワークスライスの第2の属性情報を含み、
端末により、RANによって送信された第1のメッセージを受信する前記ステップが、
前記端末により、前記RANによって送信された前記第1のメッセージを受信するステップであって、前記第1のメッセージが、前記少なくとも1つのネットワークスライスの前記第2の属性情報および前記少なくとも1つのネットワークスライスの前記第2の属性情報に基づいて前記RANによって判定された各ネットワークスライスの専用アクセスリソース情報を含む、ステップ
を特に含み、
前記端末により、前記ネットワークスライス情報に基づいて、アクセス対象の第1のネットワークスライスの第1の属性情報を選択する前記ステップが、
前記端末により、前記少なくとも1つのネットワークスライスの前記第2の属性情報および各ネットワークスライスの前記専用アクセスリソース情報に基づいて、前記アクセス対象の第1のネットワークスライスの専用アクセスリソース情報を選択するステップ
を特に含み、
前記端末により、前記第1のネットワークスライスの前記第1の属性情報に基づいて、第1のアクセス要求メッセージを前記RANに送信する前記ステップが、
前記端末により、前記第1のネットワークスライスの前記専用アクセスリソース情報に基づいて、前記第1のネットワークスライスの専用アクセスリソースで前記第1のアクセス要求メッセージを前記RANに送信するステップ
を特に含む、請求項11に記載の方法。
【請求項１３】
前記ネットワークスライス情報が少なくとも1つのネットワークスライスの第1の識別子情報を含み、
端末により、RANによって送信された第1のメッセージを受信する前記ステップが、
前記端末により、前記RANによって送信された前記第1のメッセージを受信するステップであって、前記第1のメッセージが前記少なくとも1つのネットワークスライスの前記第1の識別子情報を含む、ステップ
を特に含み、
前記端末により、前記ネットワークスライス情報に基づいて、アクセス対象の第1のネットワークスライスの第1の属性情報を選択する前記ステップが、
前記端末により、前記少なくとも1つのネットワークスライスの前記第1の識別子情報に基づいて、前記アクセス対象の第1のネットワークスライスの第1の識別子情報を選択するステップ
を特に含み、
前記端末により、前記第1のネットワークスライスの前記第1の属性情報に基づいて、第1のアクセス要求メッセージを前記RANに送信する前記ステップが、
前記端末により、前記第1のネットワークスライスの前記第1の識別子情報に基づいて、前記第1のアクセス要求メッセージを前記RANに送信するステップであって、前記第1のアクセス要求メッセージが前記第1のネットワークスライスの前記第1の識別子情報を含む、ステップ
を特に含む、請求項11に記載の方法。
【請求項１４】
端末により、RANによって送信された第1のメッセージを受信する前記ステップの前に、前記方法が、
前記端末により、第2のメッセージを前記RANに送信するステップであって、前記第2のメッセージが、前記端末が前記RANにアクセスしようとしていることを示す指示情報を含む、ステップと、
前記端末により、前記指示情報に基づいて、前記RANによって送信された前記第1のメッセージを受信するステップと、
をさらに含む、請求項12または13に記載の方法。
【請求項１５】
前記ネットワークスライス情報が少なくとも1つのネットワークスライスの第2の属性情報を含み、
端末により、RANによって送信された第1のメッセージを受信する前記ステップの前に、前記方法が、
前記端末により、前記RANによって送信された第3のメッセージを受信するステップであって、前記第3のメッセージが、前記少なくとも1つのネットワークスライスの前記第2の属性情報に基づいて前記RANによって判定された、前記少なくとも1つのネットワークスライスの共通アクセスリソース情報および前記少なくとも1つのネットワークスライスの専用アクセスリソース情報、ならびに前記ネットワークスライスの前記共通アクセスリソース情報に基づいて前記ネットワークスライスにプリアンブル割り当てを実行することによって前記RANによって取得された、グループ化によって取得されたネットワークスライスグループに関する情報、前記ネットワークスライスグループの共通アクセスリソース情報、および前記ネットワークスライスグループの前記共通アクセスリソース情報に対応するプリアンブルを含む、ステップと、
前記端末により、前記ネットワークスライスグループに関する前記情報、前記ネットワークスライスグループの前記共通アクセスリソース情報、および前記ネットワークスライスの前記共通アクセスリソース情報に対応する前記プリアンブルに基づいて、アクセス対象のネットワークスライスグループを選択するステップと、
前記端末により、第4のメッセージを前記RANに送信するステップであって、前記第4のメッセージが前記アクセス対象のネットワークスライスグループのプリアンブルを含む、ステップと、
をさらに含み、
端末により、RANによって送信された第1のメッセージを受信する前記ステップが、
前記端末により、前記RANが前記ネットワークスライスグループの前記プリアンブルに基づいて前記ネットワークスライスグループを判定した後に前記RANによって送信された前記第1のメッセージを受信するステップであって、前記第1のメッセージが前記ネットワークスライスグループ内の各ネットワークスライスの専用アクセスリソース情報および前記ネットワークスライスグループ内の各ネットワークスライスの属性情報を含む、ステップ
を特に含み、
前記端末により、前記ネットワークスライス情報に基づいて、アクセス対象の第1のネットワークスライスの第1の属性情報を選択する前記ステップが、
前記端末により、前記ネットワークスライスグループ内の各ネットワークスライスの前記専用アクセスリソース情報および前記ネットワークスライスグループ内の各ネットワークスライスの前記属性情報に基づいて、前記アクセス対象の第1のネットワークスライスの専用アクセスリソース情報を選択するステップ
を特に含み、
前記端末により、前記第1のネットワークスライスの前記第1の属性情報に基づいて、第1のアクセス要求メッセージを前記RANに送信する前記ステップが、
前記端末により、前記第1のネットワークスライスの前記専用アクセスリソース情報に基づいて、前記第1のネットワークスライスの専用アクセスリソースで前記第1のアクセス要求メッセージを前記RANに送信するステップ
を特に含む、請求項11に記載の方法。
【請求項１６】
前記ネットワークスライス情報が少なくとも1つのネットワークスライスの第2の属性情報を含み、
端末により、RANによって送信された第1のメッセージを受信する前記ステップが、
前記端末により、前記RANによって送信された前記第1のメッセージを受信するステップであって、前記第1のメッセージが、前記少なくとも1つのネットワークスライスの前記第2の属性情報に基づいて前記RANによって判定された前記少なくとも1つのネットワークスライスの第2の識別子情報を含む、ステップ
を特に含み、
前記端末により、前記ネットワークスライス情報に基づいて、アクセス対象の第1のネットワークスライスの第1の属性情報を選択する前記ステップが、
前記端末により、前記少なくとも1つのネットワークスライスの前記第2の識別子情報に基づいて、前記アクセス対象の第1のネットワークスライスの第2の識別子情報を選択するステップ
を特に含み、
前記端末により、前記第1のネットワークスライスの前記第1の属性情報に基づいて、第1のアクセス要求メッセージを前記RANに送信する前記ステップが、
前記端末により、前記第1のネットワークスライスの前記第2の識別子情報に基づいて、前記第1のアクセス要求メッセージを前記RANに送信するステップであって、前記第1のアクセス要求メッセージが前記第1のネットワークスライスの前記第2の識別子情報を含む、ステップ
を特に含む、請求項11に記載の方法。
【請求項１７】
前記ネットワークスライス情報が少なくとも1つのネットワークスライスの第2の属性情報を含み、（UEによる選択）
前記端末により、前記ネットワークスライス情報に基づいて、アクセス対象の第1のネットワークスライスの第1の属性情報を選択する前記ステップが、
前記端末により、前記端末の属性情報に基づいて、前記少なくとも1つのネットワークスライスの前記第2の属性情報から前記アクセス対象の第1のネットワークスライスの前記第1の属性情報を選択するステップ
を特に含む、請求項11に記載の方法。
【請求項１８】
前記端末により、前記第2のネットワークスライスの第1の属性情報に基づいて前記RANによって送信された第1のアクセス応答メッセージを受信するステップであって、前記第1のアクセス応答メッセージが、前記端末が前記第2のネットワークスライスにアクセスするように、前記端末によるアクセス対象であり、かつコアネットワーク（CN）によって選択される前記第2のネットワークスライスの前記第1の属性情報を含む、ステップ
をさらに含む、請求項11に記載の方法。
【請求項１９】
無線アクセス装置であって、
ネットワークスライス情報を取得するように構成されるプロセッサと、
第1のメッセージを端末に送信し、前記第1のメッセージが前記ネットワークスライス情報を含む、ように構成される送信機と、
前記端末が前記ネットワークスライス情報に基づいて前記端末によるアクセス対象の第1のネットワークスライスの第1の属性情報を選択した後に前記端末によって送信された第1のアクセス要求メッセージを受信するように構成される受信機と、
を備え、
前記プロセッサが、前記第1のネットワークスライスの前記第1の属性情報に基づいて、前記端末によるアクセス対象の第2のネットワークスライスを判定するように構成される、無線アクセス装置。
【請求項２０】
前記プロセッサが、コアネットワーク（CN）、または運用、管理、および保守（OAM）装置から前記ネットワークスライス情報を取得するように特に構成される、請求項19に記載の無線アクセス装置。
【請求項２１】
前記ネットワークスライス情報が少なくとも1つのネットワークスライスの第2の属性情報を含み、
前記送信機が前記第1のメッセージを前記端末に送信する前に、前記プロセッサは、前記少なくとも1つのネットワークスライスの前記第2の属性情報に基づいて、各ネットワークスライスの専用アクセスリソース情報を判定するようにさらに構成され、
前記送信機は、前記RANのために、前記第1のメッセージを前記端末に送信し、前記第1のメッセージが前記少なくとも1つのネットワークスライスの前記第2の属性情報および各ネットワークスライスの前記専用アクセスリソース情報を含む、ように特に構成され、
前記受信機は、前記端末が前記少なくとも1つのネットワークスライスの前記第2の属性情報および各ネットワークスライスの前記専用アクセスリソース情報に基づいて前記端末によるアクセス対象の前記第1のネットワークスライスの前記第1の属性情報を選択した後に前記端末によって送信された前記第1のアクセス要求メッセージを受信するように特に構成される、請求項19に記載の無線アクセス装置。
【請求項２２】
前記ネットワークスライス情報が少なくとも1つのネットワークスライスの第1の識別子情報を含み、
前記送信機が、前記第1のメッセージを前記端末に送信し、前記第1のメッセージが前記少なくとも1つのネットワークスライスの前記第1の識別子情報を含む、ように特に構成され、
前記受信機が、前記端末が前記少なくとも1つのネットワークスライスの前記第1の識別子情報に基づいて前記第1のネットワークスライスの前記第1の属性情報を選択した後に前記端末によって送信された前記第1のアクセス要求メッセージを受信し、前記第1のアクセス要求メッセージが前記第1のネットワークスライスの第1の識別子情報を含む、ように特に構成される、請求項19に記載の無線アクセス装置。
【請求項２３】
前記送信機が前記第1のメッセージを前記端末に送信する前に、
前記受信機は、前記端末によって送信された第3のメッセージを受信し、前記第3のメッセージが、前記端末が前記RANにアクセスしようとしていることを示す指示情報を含む、ようにさらに構成され、
前記送信機は、前記指示情報に基づいて前記第1のメッセージを前記端末に送信するようにさらに構成される、請求項21または22に記載の無線アクセス装置。
【請求項２４】
前記ネットワークスライス情報が少なくとも1つのネットワークスライスの第2の属性情報を含み、
前記送信機が前記第1のメッセージを前記端末に送信する前に、前記プロセッサは、前記少なくとも1つのネットワークスライスの前記第2の属性情報に基づいて、前記少なくとも1つのネットワークスライスの専用アクセスリソース情報および前記少なくとも1つのネットワークスライスの共通アクセスリソース情報を判定するようにさらに構成され、
前記プロセッサは、前記ネットワークスライスの前記共通アクセスリソース情報に基づいて、前記ネットワークスライスにプリアンブル割り当てを実行して、グループ化によって取得されたネットワークスライスグループに関する情報、前記ネットワークスライスグループの共通アクセスリソース情報、および前記ネットワークスライスグループの前記共通アクセスリソース情報に対応するプリアンブルを取得するようにさらに構成され、
前記送信機は、第4のメッセージを前記端末に送信し、前記第4のメッセージが前記ネットワークスライスグループの前記共通アクセスリソース情報、前記ネットワークスライスグループに関する前記情報、および前記ネットワークスライスグループの前記共通アクセスリソース情報に対応する前記プリアンブルを含む、ようにさらに構成され、
前記受信機は、前記端末によって送信された第5のメッセージを受信し、前記第5のメッセージが、前記端末によるアクセス対象であり、かつ前記ネットワークスライスグループの前記共通アクセスリソース情報、前記ネットワークスライスグループに関する前記情報、および前記ネットワークスライスグループの前記共通アクセスリソース情報に対応する前記プリアンブルに基づいて前記端末によって選択される、ネットワークスライスグループのプリアンブルを含む、ようにさらに構成され、
前記プロセッサは、前記ネットワークスライスグループの前記プリアンブルに基づいて、前記端末によって選択された前記ネットワークスライスグループを判定するようにさらに構成され、
前記送信機は、前記ネットワークスライスグループに基づいて前記第1のメッセージを前記端末に送信し、前記第1のメッセージが前記ネットワークスライスグループ内の各ネットワークスライスの専用アクセスリソース情報および前記ネットワークスライスグループ内の各ネットワークスライスの第2の属性情報を含む、ように特に構成され、
前記受信機は、前記端末が前記少なくとも1つのネットワークスライスの前記第2の属性情報および各ネットワークスライスの前記専用アクセスリソース情報に基づいて前記端末によるアクセス対象の前記第1のネットワークスライスの前記第1の属性情報および前記第1のネットワークスライスの専用アクセスリソース情報を選択した後に前記端末によって送信された前記第1のアクセス要求メッセージを受信するように特に構成される、請求項19に記載の無線アクセス装置。
【請求項２５】
前記ネットワークスライス情報が少なくとも1つのネットワークスライスの第2の属性情報を含み、
前記送信機が前記第1のメッセージを前記端末に送信する前に、前記プロセッサは、前記少なくとも1つのネットワークスライスの前記第2の属性情報に基づいて、各ネットワークスライスの第2の識別子情報を判定するようにさらに構成され、
前記送信機は、前記第1のメッセージを前記端末に送信し、前記第1のメッセージが各ネットワークスライスの前記第2の識別子情報を含む、ように特に構成され、
前記受信機は、前記端末が前記少なくとも1つのネットワークスライスの前記第2の識別子情報および前記少なくとも1つのネットワークスライスの前記第2の属性情報に基づいて前記第1のネットワークスライスの第2の識別子情報を選択した後に前記端末によって送信された前記第1のアクセス要求メッセージを受信し、前記第1のアクセス要求メッセージが前記第1のネットワークスライスの前記第2の識別子情報を含む、ように特に構成される、請求項19に記載の無線アクセス装置。
【請求項２６】
前記プロセッサは、
前記RANによってサポートされるネットワークスライスの無線リソース情報が、前記第1のネットワークスライスの前記第1の属性情報によってサポートされるサービス機能を満たさない場合、前記プロセッサが、アクセス要求拒否メッセージを前記端末に送信するように前記送信機に命令する、もしくは前記プロセッサが、前記第1のネットワークスライスの前記第1の属性情報によってサポートされるものと同じサービス機能を有する第2のネットワークスライスを前記端末のために選択し、前記第1のネットワークスライスが前記第2のネットワークスライスとは異なる、ように特に構成され、または
前記RANによってサポートされるネットワークスライスの無線リソース情報が、前記第1のネットワークスライスの前記第1の属性情報によってサポートされるサービス機能を満たす場合、前記プロセッサが、前記端末によるアクセス対象の前記第2のネットワークスライスを判定し、前記第1のネットワークスライスが前記第2のネットワークスライスと同じである、ように特に構成される、請求項19に記載の無線アクセス装置。
【請求項２７】
前記第1のアクセス要求メッセージが前記端末の属性情報をさらに含み、
前記プロセッサは、
前記端末の前記属性情報が、前記第1のネットワークスライスの前記第1の属性情報によってサポートされるサービス機能を満たさない場合、前記プロセッサが、アクセス要求拒否メッセージを前記端末に送信するように前記送信機に命令する、もしくは前記プロセッサが、前記第1のネットワークスライスの前記第1の属性情報によってサポートされるものと同じサービス機能を有する第2のネットワークスライスを前記端末のために選択し、前記第1のネットワークスライスが前記第2のネットワークスライスとは異なる、ように特に構成され、または
前記端末の前記属性情報が、前記第1のネットワークスライスの前記第1の属性情報によってサポートされるサービス機能を満たす場合、前記プロセッサが、前記端末によるアクセス対象の前記第2のネットワークスライスを判定し、前記第1のネットワークスライスが前記第2のネットワークスライスと同じである、ように特に構成される、請求項19に記載の無線アクセス装置。
【請求項２８】
前記送信機は、第2のアクセス要求メッセージをCNに送信し、前記第2のアクセス要求メッセージが、前記端末によるアクセス対象であり、かつ前記プロセッサによって判定される前記第2のネットワークスライスの第1の属性情報を含む、ようにさらに構成され、
前記受信機は、前記端末によるアクセス対象であり、かつ前記プロセッサによって判定される前記第2のネットワークスライスの第2の属性情報に基づいて前記CNによって送信された第2のアクセス応答メッセージを受信するようにさらに構成され、
前記送信機は、第1のアクセス応答メッセージを前記端末に送信し、前記第1のアクセス応答メッセージが、前記端末が前記第2のネットワークスライスにアクセスするように、前記端末によるアクセス対象であり、かつ前記CNによって選択される前記第2のネットワークスライスの前記第1の属性情報を含む、ようにさらに構成される、請求項19に記載の無線アクセス装置。
【請求項２９】
端末であって、
RANによって送信された第1のメッセージを受信し、前記第1のメッセージが前記RANによって取得されたネットワークスライス情報を含む、ように構成される受信機と、
前記受信機によって受信された前記ネットワークスライス情報に基づいて、アクセス対象の第1のネットワークスライスの第1の属性情報を選択するように構成されるプロセッサと、
前記RANが前記端末によるアクセス対象の第2のネットワークスライスを判定するように、前記プロセッサによって選択された前記第1のネットワークスライスの前記第1の属性情報に基づいて、第1のアクセス要求メッセージを前記RANに送信するように構成される送信機と、
を備える端末。
【請求項３０】
前記ネットワークスライス情報が少なくとも1つのネットワークスライスの第2の属性情報を含み、
前記受信機は、前記RANによって送信された前記第1のメッセージを受信し、前記第1のメッセージが、前記少なくとも1つのネットワークスライスの前記第2の属性情報および前記少なくとも1つのネットワークスライスの前記第2の属性情報に基づいて前記RANによって判定された各ネットワークスライスの専用アクセスリソース情報を含む、ように特に構成され、
前記プロセッサは、前記少なくとも1つのネットワークスライスの前記第2の属性情報および各ネットワークスライスの前記専用アクセスリソース情報に基づいて、前記アクセス対象の第1のネットワークスライスの専用アクセスリソース情報を選択するように特に構成され、
前記送信機は、前記第1のネットワークスライスの前記専用アクセスリソース情報に基づいて、前記第1のネットワークスライスの専用アクセスリソースで前記第1のアクセス要求メッセージを前記RANに送信するように特に構成される、請求項29に記載の端末。
【請求項３１】
前記ネットワークスライス情報が少なくとも1つのネットワークスライスの第1の識別子情報を含み、
前記受信機は、前記RANによって送信された前記第1のメッセージを受信し、前記第1のメッセージが前記少なくとも1つのネットワークスライスの前記第1の識別子情報を含む、ように特に構成され、
前記プロセッサは、前記少なくとも1つのネットワークスライスの前記第1の識別子情報に基づいて、前記アクセス対象の第1のネットワークスライスの第1の識別子情報を選択するように特に構成され、
前記送信機は、前記第1のネットワークスライスの前記第1の識別子情報に基づいて、前記第1のアクセス要求メッセージを前記RANに送信し、前記第1のアクセス要求メッセージが前記第1のネットワークスライスの前記第1の識別子情報を含む、ように特に構成される、請求項29に記載の端末。
【請求項３２】
前記受信機が前記RANによって送信された前記第1のメッセージを受信する前に、
前記送信機は、第2のメッセージを前記RANに送信し、前記第2のメッセージが、前記端末が前記RANにアクセスしようとしていることを示す指示情報を含む、ようにさらに構成され、
前記受信機は、前記指示情報に基づいて、前記RANによって送信された前記第1のメッセージを受信するようにさらに構成される、請求項30または31に記載の端末。
【請求項３３】
前記ネットワークスライス情報が少なくとも1つのネットワークスライスの第2の属性情報を含み、
前記受信機が前記RANによって送信された前記第1のメッセージを受信する前に、
前記受信機は、前記RANによって送信された第3のメッセージを受信し、前記第3のメッセージが、前記少なくとも1つのネットワークスライスの前記第2の属性情報に基づいて前記RANによって判定された、前記少なくとも1つのネットワークスライスの共通アクセスリソース情報および前記少なくとも1つのネットワークスライスの専用アクセスリソース情報、ならびに前記ネットワークスライスの前記共通アクセスリソース情報に基づいて前記ネットワークスライスにプリアンブル割り当てを実行することによって前記RANによって取得された、グループ化によって取得されたネットワークスライスグループに関する情報、前記ネットワークスライスグループの共通アクセスリソース情報、および前記ネットワークスライスグループの前記共通アクセスリソース情報に対応するプリアンブルを含む、ようにさらに構成され、
前記プロセッサは、前記ネットワークスライスグループに関する前記情報、前記ネットワークスライスグループの前記共通アクセスリソース情報、および前記ネットワークスライスグループの前記共通アクセスリソース情報に対応する前記プリアンブルに基づいて、アクセス対象のネットワークスライスグループを選択するようにさらに構成され、
前記送信機は、第4のメッセージを前記RANに送信し、前記第4のメッセージが前記アクセス対象のネットワークスライスグループのプリアンブルを含む、ようにさらに構成され、
前記受信機は、前記RANが前記ネットワークスライスグループの前記プリアンブルに基づいて前記ネットワークスライスグループを判定した後に前記RANによって送信された前記第1のメッセージを受信し、前記第1のメッセージが前記ネットワークスライスグループ内の各ネットワークスライスの専用アクセスリソース情報および前記ネットワークスライスグループ内の各ネットワークスライスの属性情報を含む、ように特に構成され、
前記プロセッサは、前記ネットワークスライスグループ内の各ネットワークスライスの前記専用アクセスリソース情報および前記ネットワークスライスグループ内の各ネットワークスライスの前記属性情報に基づいて、前記アクセス対象の第1のネットワークスライスの専用アクセスリソース情報を選択するように特に構成され、
前記送信機は、前記第1のネットワークスライスの前記専用アクセスリソース情報に基づいて、前記第1のネットワークスライスの専用アクセスリソースで前記第1のアクセス要求メッセージを前記RANに送信するように特に構成される、請求項29に記載の端末。
【請求項３４】
前記ネットワークスライス情報が少なくとも1つのネットワークスライスの第2の属性情報を含み、
前記受信機は、前記RANによって送信された前記第1のメッセージを受信し、前記第1のメッセージが、前記少なくとも1つのネットワークスライスの前記第2の属性情報に基づいて前記RANによって判定された前記少なくとも1つのネットワークスライスの第2の識別子情報を含む、ように特に構成され、
前記プロセッサは、前記少なくとも1つのネットワークスライスの前記第2の識別子情報に基づいて、前記アクセス対象の第1のネットワークスライスの第2の識別子情報を選択するように特に構成され、
前記送信機は、前記第1のネットワークスライスの前記第2の識別子情報に基づいて、前記第1のアクセス要求メッセージを前記RANに送信し、前記第1のアクセス要求メッセージが前記第1のネットワークスライスの前記第2の識別子情報を含む、ように特に構成される、請求項29に記載の端末。
【請求項３５】
前記ネットワークスライス情報が少なくとも1つのネットワークスライスの第2の属性情報を含み、
前記プロセッサは、前記端末の属性情報に基づいて、前記少なくとも1つのネットワークスライスの前記第2の属性情報から前記アクセス対象の第1のネットワークスライスの前記第1の属性情報を選択するように特に構成される、請求項29に記載の端末。
【請求項３６】
前記受信機は、前記第2のネットワークスライスの第1の属性情報に基づいて前記RANによって送信された第1のアクセス応答メッセージを受信し、前記第1のアクセス応答メッセージが、前記端末が前記第2のネットワークスライスにアクセスするように、前記端末によるアクセス対象であり、かつコアネットワーク（CN）によって選択される前記第2のネットワークスライスの前記第1の属性情報を含む、ようにさらに構成される、請求項29に記載の端末。
【発明の詳細な説明】
【技術分野】
【０００１】
本発明の実施形態は、通信技術の分野に関し、詳細には、ネットワークスライス選択方法、無線アクセス装置、および端末に関する。
【背景技術】
【０００２】
急速に発展しているモバイル通信システムは、複数のシナリオのサービス要件、例えばモバイルブロードバンドサービス（高精細度映像など）、大規模マシン装置通信、および高信頼モバイル装置通信（車両通信など）のサービス要件を満たす必要がある。異なるシナリオのサービス要件を満たすために、ネットワークは、複数のネットワークスライスに分割され得る（network slicing）。各スライスは、独立したサービスオペレーションとして複数の論理ネットワークを配備することによって形成され、これらの論理ネットワークは物理構造を共有する。独立したネットワーク構造を配備する場合のスライスとは異なり、ここでの各スライスは論理ネットワークとして実装されることとなり、使用される共有構造は、共有処理、記憶、および送信、共有無線スペクトル、ならびに共有ハードウェアプラットフォームを含む。ネットワークスライス方法によれば、構造および部品利用率が高くなる。加えて、物理構造が共有されているため、コストが削減され、他のスライスの安定性とセキュリティに影響を与えることなく、スライスを柔軟かつ独立して構成および管理できる。しかしながら、ネットワークが端末に事前に割り当てられたネットワークスライス識別子を含まない場合、または端末に事前設定されたネットワークスライス識別子を含まない場合、端末がネットワークスライスに正常にアクセスするためにネットワークスライス選択方法が必要とされる。
【０００３】
従来技術では、図1に示すように、端末は、共通の無線アクセス装置（radio access network、RAN）スライスを使用することによって、コアネットワーク（core network、CN）にアクセス要求メッセージを送信し、要求メッセージは、端末が望むサービス性能の記述情報を運ぶ。メッセージを受信した後、CNは、端末がネットワークスライスへのアクセスを許可されているか否かを確認する。端末がネットワークスライスにアクセスすることを許可されている場合、CNは、端末種別、または端末によって提供されるサービス性能記述およびネットワークスライス関連情報に基づいて、端末のための適切なネットワークスライス識別子を選択する。端末は、ネットワークスライス識別子を運ぶ要求メッセージを所望のRANスライスに送信する。RANは端末のためのCNエンティティを選択し、次いで、RANはCNエンティティにアクセス要求を送信する。CN側のネットワークスライスは、端末がCNに接続され、ユーザプレーン接続が確立されるように、RANを使用することによって応答メッセージを端末に送信する。
【０００４】
しかしながら、上記の方法を使用することによって、端末は、CN共通スライスおよびRAN共通スライスにまずアクセスし、次いで、最も適切なネットワークスライスに向けられる。この過程は、通信レイテンシおよびシグナリングオーバーヘッドを増加させる。
【発明の概要】
【課題を解決するための手段】
【０００５】
本発明の実施態様で提供されるネットワークスライス選択方法、無線アクセス装置、および端末は、オペレータがネットワークスライスを柔軟に構成できるようにし、端末がネットワークスライスを選択する過程における通信レイテンシおよびシグナリングオーバーヘッドを減らす。
【０００６】
第1の態様によれば、ネットワークスライス選択方法が提供される。本方法は、無線アクセス装置RANにより、ネットワークスライス情報（ネットワークスライスの第1の識別子情報、ネットワークスライスのキーサービス属性情報、ネットワークスライスによってサポートされるサービスに関する情報、ネットワークスライスの許可情報、ネットワークスライスのコアネットワーク負荷情報、およびネットワークスライスのカバレッジ情報など）を取得するステップと、RANにより、第1のメッセージを端末に送信するステップであって、第1のメッセージがネットワークスライス情報を含む、ステップと、RANにより、端末がネットワークスライス情報に基づいて端末によるアクセス対象の第1のネットワークスライスの第2の属性情報（ネットワークスライスの第1の識別子情報ID、ならびにネットワークスライスの第2の識別子情報および専用アクセスリソース情報など）を選択した後に端末によって送信された第1のアクセス要求メッセージを受信するステップと、RANにより、第1のネットワークスライスの第2の属性情報に基づいて、端末によるアクセス対象の第2のネットワークスライスを判定するステップと、を含む。ネットワークスライス、さらには端末がネットワークスライスを選択する過程における通信レイテンシおよびシグナリングオーバーヘッドをオペレータが柔軟に構成できるようになる。
【０００７】
任意の実装では、無線アクセス装置RANにより、ネットワークスライス情報を取得するステップは、RANにより、コアネットワークCN、または運用、管理、および保守OAMからネットワークスライス情報を取得するステップを特に含み、その結果、オペレータがネットワークスライスを柔軟に構成できるようになり、ネットワークスライス情報が広く取得される。
【０００８】
任意の実装では、ネットワークスライス情報は、少なくとも1つのネットワークスライスの第2の属性情報を含む。RANにより、第1のメッセージを端末に送信するステップの前に、本方法は、RANにより、少なくとも1つのネットワークスライスの第2の属性情報に基づいて、各ネットワークスライスの専用アクセスリソース情報を判定するステップをさらに含む。RANにより、第1のメッセージを端末に送信するステップは、RANにより、第1のメッセージを端末に送信するステップであって、第1のメッセージが少なくとも1つのネットワークスライスの第2の属性情報および各ネットワークスライスの専用アクセスリソース情報を含む、ステップを特に含む。RANにより、端末がネットワークスライス情報に基づいて端末によるアクセス対象の第1のネットワークスライスの第1の属性情報を選択した後に端末によって送信された第1のアクセス要求メッセージを受信するステップは、RANにより、端末が少なくとも1つのネットワークスライスの第2の属性情報および各ネットワークスライスの専用アクセスリソース情報に基づいて端末によるアクセス対象の第1のネットワークスライスの第1の属性情報を選択した後に端末によって送信された第1のアクセス要求メッセージを受信するステップを特に含む。各ネットワークスライスは対応する専用アクセスリソース情報を有するので、端末は、RANが、端末によって要求されたサービス機能に対応するネットワークスライスを迅速に検出するように、第1のネットワークスライスの専用アクセスリソース情報に基づいて専用リソース上で第1のアクセス要求メッセージをRANに送信し、第1のアクセス要求メッセージは指示情報（プリアンブルなど）を含み得る。本方法によれば、コアネットワークの少なくとも1つのネットワークスライスの第1の属性情報が無線インターフェース上で公開されるのを防止することができ、それによってセキュリティを向上させることができる。
【０００９】
任意の実装では、ネットワークスライス情報は、少なくとも1つのネットワークスライスの第1の識別子情報を含む。RANにより、第1のメッセージを端末に送信するステップは、RANにより、第1のメッセージを端末に送信するステップであって、第1のメッセージが少なくとも1つのネットワークスライスの第1の識別子情報を含む、ステップを特に含む。RANにより、端末がネットワークスライス情報に基づいて端末によるアクセス対象の第1のネットワークスライスを選択した後に端末によって送信された第1のアクセス要求メッセージを受信するステップは、RANにより、端末が少なくとも1つのネットワークスライスの第1の識別子情報に基づいて第1のネットワークスライスの第1の属性情報を選択した後に端末によって送信された第1のアクセス要求メッセージを受信するステップであって、第1のアクセス要求メッセージが第1のネットワークスライスの第1の識別子情報を含む、ステップを特に含む。本方法を使用することによって、少なくとも1つのネットワークスライスの第1の識別子情報を使用することによって異なるネットワークスライスが直接区別され、RANが、初期アクセス応答を使用して、少なくとも1つのネットワークスライスの第1の属性情報を端末に通知し、その結果、コアネットワークの少なくとも1つのネットワークスライスの第1の属性情報が無線インターフェースに公開されることを防止することができ、セキュリティが向上する。
【００１０】
任意の実装では、RANにより、第1のメッセージを端末に送信するステップの前に、本方法は、
RANにより、端末によって送信された第3のメッセージを受信するステップであって、第3のメッセージが、端末がRANにアクセスしようとしていることを示す指示情報を含む、ステップと、RANにより、指示情報に基づいて第1のメッセージを端末に送信するステップと、
をさらに含む。
【００１１】
任意の実装では、ネットワークスライス情報は、少なくとも1つのネットワークスライスの第2の属性情報を含む。RANにより、第1のメッセージを端末に送信するステップの前に、本方法は、RANにより、少なくとも1つのネットワークスライスの第2の属性情報に基づいて、少なくとも1つのネットワークスライスの専用アクセスリソース情報および少なくとも1つのネットワークスライスの共通アクセスリソース情報を判定するステップと、RANにより、ネットワークスライスの共通アクセスリソース情報に基づいて、ネットワークスライスにプリアンブル割り当てを実行して、グループ化によって取得されたネットワークスライスグループに関する情報、ネットワークスライスグループの共通アクセスリソース情報、およびネットワークスライスグループの共通アクセスリソース情報に対応するプリアンブルを取得するステップと、次いで、RANにより、第4のメッセージを端末に送信するステップであって、第4のメッセージがネットワークスライスグループの共通アクセスリソース情報、ネットワークスライスグループに関する情報、およびネットワークスライスグループの共通アクセスリソース情報に対応するプリアンブルを含む、ステップと、RANにより、端末によって送信された第5のメッセージを受信するステップであって、第5のメッセージが、端末によるアクセス対象であり、かつネットワークスライスグループの共通アクセスリソース情報、ネットワークスライスグループに関する情報、およびネットワークスライスグループの共通アクセスリソース情報に対応するプリアンブルに基づいて端末によって選択される、ネットワークスライスグループのプリアンブルを含む、ステップと、次いで、RANにより、ネットワークスライスグループのプリアンブルに基づいて、端末によって選択されたネットワークスライスグループを判定するステップと、をさらに含む。RANにより、第1のメッセージを端末に送信するステップは、RANにより、ネットワークスライスグループに基づいて第1のメッセージを端末に送信するステップであって、第1のメッセージがネットワークスライスグループ内の各ネットワークスライスの専用アクセスリソース情報およびネットワークスライスグループ内の各ネットワークスライスの第2の属性情報を含む、ステップを特に含む。RANにより、端末がネットワークスライス情報に基づいて端末によるアクセス対象の第1のネットワークスライスの第1の属性情報を選択した後に端末によって送信された第1のアクセス要求メッセージを受信するステップは、RANにより、端末が少なくとも1つのネットワークスライスの第2の属性情報および各ネットワークスライスの専用アクセスリソース情報に基づいて端末によるアクセス対象の第1のネットワークスライスの第1の属性情報および第1のネットワークスライスの専用アクセスリソース情報を選択した後に端末によって送信された第1のアクセス要求メッセージを受信するステップを特に含む。各ネットワークスライスは対応する専用アクセスリソース情報を有するので、端末は、RANが端末によって要求されたサービス機能に対応するネットワークスライスを迅速に検出するように、第1のネットワークスライスの専用アクセスリソース情報に基づいて専用リソース上で第1のアク���ス要求メッセージをRANに送信し、第1のアクセス要求メッセージは指示情報（プリアンブルなど）を含み得る。
【００１２】
任意の実装では、ネットワークスライス情報は、少なくとも1つのネットワークスライスの第2の属性情報を含む。RANにより、第1のメッセージを端末に送信するステップの前に、本方法は、RANにより、少なくとも1つのネットワークスライスの第2の属性情報に基づいて、各ネットワークスライスの第2の識別子情報を判定するステップをさらに含む。RANにより、第1のメッセージを端末に送信するステップは、RANにより、第1のメッセージを端末に送信するステップであって、第1のメッセージが各ネットワークスライスの第2の識別子情報を含む、ステップを特に含む。RANにより、端末がネットワークスライス情報に基づいて端末によるアクセス対象の第1のネットワークスライスの第1の属性情報を選択した後に端末によって送信された第1のアクセス要求メッセージを受信するステップは、RANにより、端末が少なくとも1つのネットワークスライスの第2の識別子情報および少なくとも1つのネットワークスライスの第2の属性情報に基づいて第1のネットワークスライスの第2の識別子情報を選択した後に端末によって送信された第1のアクセス要求メッセージを受信するステップであって、第1のアクセス要求メッセージが第1のネットワークスライスの第2の識別子情報を含む、ステップを特に含む。本方法を使用することによって、少なくとも1つのネットワークスライスの第2の識別子情報を使用することによって異なるネットワークスライスが区別され、RANは、端末がアクセス対象のネットワークスライスを選択するように、初期アクセス応答を使用して、少なくとも1つのネットワークスライスの第1の属性情報および少なくとも1つのネットワークスライスの第2の識別子情報を端末に通知する。
【００１３】
任意の実装では、RANにより、第1のネットワークスライスの第1の属性情報に基づいて、端末によるアクセス対象の第2のネットワークスライスを判定するステップは、RANによってサポートされるネットワークスライスの無線リソース情報が、第1のネットワークスライスの第1の属性情報によってサポートされるサービス機能を満たさない場合、RANにより、アクセス要求拒否メッセージを端末に送信するステップ、もしくはRANにより、第1のネットワークスライスの第1の属性情報によってサポートされるものと同じサービス機能を有する第2のネットワークスライスを端末のために選択するステップであって、第1のネットワークスライスが第2のネットワークスライスとは異なる、ステップ、またはRANによってサポートされるネットワークスライスの無線リソース情報が、第1のネットワークスライスの第1の属性情報によってサポートされるサービス機能を満たす場合、RANにより、端末によるアクセス対象の第2のネットワークスライスを判定するステップであって、第1のネットワークスライスが第2のネットワークスライスと同じである、ステップを特に含む。
【００１４】
任意の実装では、第1のアクセス要求メッセージが端末の属性情報をさらに含む。RANにより、第1のネットワークスライスの属性情報に基づいて、端末によるアクセス対象の第2のネットワークスライスを判定するステップは、端末の属性情報が、第1のネットワークスライスの第1の属性情報によってサポートされるサービス機能を満たさない場合、RANにより、アクセス要求拒否メッセージを端末に送信するステップ、もしくはRANにより、第1のネットワークスライスの第1の属性情報によってサポートされるものと同じサービス機能を有する第2のネットワークスライスを端末のために選択するステップであって、第1のネットワークスライスが第2のネットワークスライスとは異なる、ステップ、または端末の属性情報が、第1のネットワークスライスの属性情報によってサポートされるサービス機能を満たす場合、RANにより、端末によるアクセス対象の第2のネットワークスライスを判定するステップであって、第1のネットワークスライスが第2のネットワークスライスと同じである、ステップを特に含む。
【００１５】
任意の実装では、本方法は、RANにより、第2のアクセス要求メッセージをCNに送信するステップであって、第2のアクセス要求メッセージが、端末によるアクセス対象であり、かつRANによって判定される第2のネットワークスライスの第1の属性情報を含む、ステップと、RANにより、端末によるアクセス対象であり、かつRANによって判定される第2のネットワークスライスの第2の属性情報に基づいてCNによって送信された第2のアクセス応答メッセージを受信するステップと、RANにより、第1のアクセス応答メッセージを端末に送信するステップであって、第1のアクセス応答メッセージが、端末が第2のネットワークスライスにアクセスするように、端末によるアクセス対象であり、かつCNによって選択される第2のネットワークスライスの第1の属性情報を含む、ステップと、をさらに含む。
【００１６】
第2の態様によれば、ネットワークスライス選択方法が提供される。本方法は、端末により、RANによって送信された第1のメッセージを受信するステップであって、第1のメッセージがRANによって取得されたネットワークスライス情報を含む、ステップと、端末により、ネットワークスライス情報に基づいて、アクセス対象の第1のネットワークスライスの第1の属性情報を選択するステップと、端末により、RANが端末によるアクセス対象の第2のネットワークスライスを判定するように、第1のネットワークスライスの第1の属性情報に基づいて、第1のアクセス要求メッセージをRANに送信するステップであって、第1のネットワークスライスが第2のネットワークスライスと同じかまたは異なる、ステップと、を含む。ネットワークスライス、さらには端末がネットワークスライスを選択する過程における通信レイテンシおよびシグナリングオーバーヘッドをオペレータが柔軟に構成できるようになる。
【００１７】
任意の実装では、ネットワークスライス情報は、少なくとも1つのネットワークスライスの第2の属性情報を含む。端末により、RANによって送信された第1のメッセージを受信するステップは、端末により、RANによって送信された第1のメッセージを受信するステップであって、第1のメッセージが、少なくとも1つのネットワークスライスの第2の属性情報および少なくとも1つのネットワークスライスの第2の属性情報に基づいてRANによって判定された各ネットワークスライスの専用アクセスリソース情報を含む、ステップを特に含む。端末により、ネットワークスライス情報に基づいて、アクセス対象の第1のネットワークスライスの第1の属性情報を選択するステップは、端末により、少なくとも1つのネットワークスライスの第2の属性情報および各ネットワークスライスの専用アクセスリソース情報に基づいて、アクセス対象の第1のネットワークスライスの専用アクセスリソース情報を選択するステップを特に含む。端末により、第1のネットワークスライスの第1の属性情報に基づいて、第1のアクセス要求メッセージをRANに送信するステップは、端末により、第1のネットワークスライスの専用アクセスリソース情報に基づいて、第1のネットワークスライスの専用アクセスリソースで第1のアクセス要求メッセージをRANに送信するステップを特に含む。各ネットワークスライスは対応する専用アクセスリソース情報を有するので、端末は、RANが端末によって要求されたサービス機能に対応するネットワークスライスを迅速に検出するように、第1のネットワークスライスの専用アクセスリソース情報に基づいて専用リソース上で第1のアクセス要求メッセージをRANに送信し、第1のアクセス要求メッセージは指示情報（プリアンブルなど）を含み得る。本方法によれば、コアネットワークの少なくとも1つのネットワークスライスの第1の属性情報が無線インターフェース上で公開されるのを防止することができ、それによってセキュリティを向上させることができる。
【００１８】
任意の実装では、ネットワークスライス情報は、少なくとも1つのネットワークスライスの第1の識別子情報を含む。端末により、RANによって送信された第1のメッセージを受信するステップは、端末により、RANによって送信された第1のメッセージを受信するステップであって、第1のメッセージが少なくとも1つのネットワークスライスの第1の識別子情報を含む、ステップを特に含む。端末により、ネットワークスライス情報に基づいて、アクセス対象の第1のネットワークスライスの第1の属性情報を選択するステップは、端末により、少なくとも1つのネットワークスライスの第1の識別子情報に基づいて、アクセス対象の第1のネットワークスライスの第1の識別子情報を選択するステップを特に含む。端末により、第1のネットワークスライスの第1の属性情報に基づいて、第1のアクセス要求メッセージをRANに送信するステップは、端末により、第1のネットワークスライスの第1の識別子情報に基づいて、第1のアクセス要求メッセージをRANに送信するステップであって、第1のアクセス要求メッセージが第1のネットワークスライスの第1の識別子情報を含む、ステップを特に含む。
【００１９】
任意の実装では、端末により、RANによって送信された第1のメッセージを受信するステップの前に、本方法は、端末により、第2のメッセージをRANに送信するステップであって、第2のメッセージが、端末がRANにアクセスしようとしていることを示す指示情報を含む、ステップと、端末により、指示情報に基づいて、RANによって送信された第1のメッセージを受信するステップと、をさらに含む。
【００２０】
任意の実装では、ネットワークスライス情報は、少なくとも1つのネットワークスライスの第2の属性情報を含む。端末により、RANによって送信された第1のメッセージを受信するステップの前に、本方法は、端末により、RANによって送信された第3のメッセージを受信するステップであって、第3のメッセージが、少なくとも1つのネットワークスライスの第2の属性情報に基づいてRANによって判定された、少なくとも1つのネットワークスライスの共通アクセスリソース情報および少なくとも1つのネットワークスライスの専用アクセスリソース情報、ならびにネットワークスライスの共通アクセスリソース情報に基づいてネットワークスライスにプリアンブル割り当てを実行することによってRANによって取得された、グループ化によって取得されたネットワークスライスグループに関する情報、ネットワークスライスグループの共通アクセスリソース情報、およびネットワークスライスグループの共通アクセスリソース情報に対応するプリアンブルを含む、ステップと、端末により、ネットワークスライスグループに関する情報、ネットワークスライスグループの共通アクセスリソース情報、およびネットワークスライスの共通アクセスリソース情報に対応するプリアンブルに基づいて、アクセス対象のネットワークスライスグループを選択するステップと、端末により、第4のメッセージをRANに送信するステップであって、第4のメッセージがアクセス対象のネットワークスライスグループのプリアンブルを含む、ステップと、をさらに含む。端末により、RANによって送信された第1のメッセージを受信するステップは、端末により、RANがネットワークスライスグループのプリアンブルに基づいてネットワークスライスグループを判定した後にRANによって送信された第1のメッセージを受信するステップであって、第1のメッセージがネットワークスライスグループ内の各ネットワークスライスの専用アクセスリソース情報およびネットワークスライスグループ内の各ネットワークスライスの属性情報を含む、ステップを特に含む。端末により、ネットワークスライス情報に基づいて、アクセス対象の第1のネットワークスライスの第1の属性情報を選択するステップは、端末により、ネットワークスライスグループ内の各ネットワークスライスの専用アクセスリソース情報およびネットワークスライスグループ内の各ネットワークスライスの属性情報に基づいて、アクセス対象の第1のネットワークスライスの専用アクセスリソース情報を選択するステップを特に含む。端末により、第1のネットワークスライスの第1の属性情報に基づいて、第1のアクセス要求メッセージをRANに送信するステップは、端末により、第1のネットワークスライスの専用アクセスリソース情報に基づいて、第1のネットワークスライスの専用アクセスリソースで第1のアクセス要求メッセージをRANに送信するステップを特に含む。各ネットワークスライスは対応する専用アクセスリソース情報を有するので、端末は、RANが端末によって要求されたサービス機能に対応するネットワークスライスを迅速に検出するように、第1のネットワークスライスの専用アクセスリソース情報に基づいて専用リソース上で第1のアクセス要求メッセージをRANに送信し、第1のアクセス要求メッセ���ジは指示情報（プリアンブルなど）を含み得る。
【００２１】
任意の実装では、ネットワークスライス情報は、少なくとも1つのネットワークスライスの第2の属性情報を含む。端末により、RANによって送信された第1のメッセージを受信するステップは、端末により、RANによって送信された第1のメッセージを受信するステップであって、第1のメッセージが、少なくとも1つのネットワークスライスの第2の属性情報に基づいてRANによって判定された少なくとも1つのネットワークスライスの第2の識別子情報を含む、ステップを特に含む。端末により、ネットワークスライス情報に基づいて、アクセス対象の第1のネットワークスライスの第1の属性情報を選択するステップは、端末により、少なくとも1つのネットワークスライスの第2の識別子情報に基づいて、アクセス対象の第1のネットワークスライスの第2の識別子情報を選択するステップを特に含む。端末により、第1のネットワークスライスの第1の属性情報に基づいて、第1のアクセス要求メッセージをRANに送信するステップは、端末により、第1のネットワークスライスの第2の識別子情報に基づいて、第1のアクセス要求メッセージをRANに送信するステップであって、第1のアクセス要求メッセージが第1のネットワークスライスの第2の識別子情報を含む、ステップを特に含む。本方法を使用することによって、少なくとも1つのネットワークスライスの第2の識別子情報を使用することによって異なるネットワークスライスが区別され、RANは、端末がアクセス対象のネットワークスライスを選択するように、初期アクセス応答を使用して、少なくとも1つのネットワークスライスの第1の属性情報および少なくとも1つのネットワークスライスの第2の識別子情報を端末に通知する。
【００２２】
任意の実装では、ネットワークスライス情報は、少なくとも1つのネットワークスライスの第2の属性情報を含む。端末により、ネットワークスライス情報に基づいて、アクセス対象の第1のネットワークスライスの第1の属性情報を選択するステップは、特に、端末により、端末の属性情報に基づいて、少なくとも1つのネットワークスライスの第2の属性情報からアクセス対象の第1のネットワークスライスの第1の属性情報を選択するステップである。
【００２３】
任意の実装では、本方法は、端末により、第2のネットワークスライスの第1の属性情報に基づいて、RANによって送信された第1のアクセス応答メッセージを受信するステップであって、第1のアクセス応答メッセージが、端末が第2のネットワークスライスにアクセスするように、端末によるアクセス対象であり、かつコアネットワークCNによって選択される第2のネットワークスライスの第1の属性情報を含む、ステップをさらに含む。
【００２４】
第3の態様によれば、無線アクセス装置が提供される。無線アクセス装置は、ネットワークスライス情報を取得するように構成されるプロセッサと、第1のメッセージを端末に送信し、第1のメッセージがネットワークスライス情報を含む、ように構成される送信機と、端末がネットワークスライス情報に基づいて端末によるアクセス対象の第1のネットワークスライスの第1の属性情報を選択した後に端末によって送信された第1のアクセス要求メッセージを受信するように構成される受信機と、を備え、プロセッサは、第1のネットワークスライスの第1の属性情報に基づいて、端末によるアクセス対象の第2のネットワークスライスを判定するように構成され得る。
【００２５】
任意の実装では、プロセッサは、コアネットワークCN、または運用、管理、および保守OAMからネットワークスライス情報を取得するように特に構成される。
【００２６】
任意の実装では、ネットワークスライス情報は、少なくとも1つのネットワークスライスの第2の属性情報を含む。送信機が第1のメッセージを端末に送信する前に、プロセッサは、少なくとも1つのネットワークスライスの第2の属性情報に基づいて、各ネットワークスライスの専用アクセスリソース情報を判定するようにさらに構成される。送信機は、RANのために、第1のメッセージを端末に送信し、第1のメッセージが少なくとも1つのネットワークスライスの第2の属性情報および各ネットワークスライスの専用アクセスリソース情報を含む、ように特に構成される。受信機は、端末が少なくとも1つのネットワークスライスの第2の属性情報および各ネットワークスライスの専用アクセスリソース情報に基づいて端末によるアクセス対象の第1のネットワークスライスの第1の属性情報を選択した後に端末によって送信された第1のアクセス要求メッセージを受信するように特に構成される。
【００２７】
任意の実装では、ネットワークスライス情報は、少なくとも1つのネットワークスライスの第1の識別子情報を含む。送信機は、第1のメッセージを端末に送信し、第1のメッセージが少なくとも1つのネットワークスライスの第1の識別子情報を含む、ように特に構成される。受信機は、端末が少なくとも1つのネットワークスライスの第1の識別子情報に基づいて第1のネットワークスライスの第1の属性情報を選択した後に端末によって送信された第1のアクセス要求メッセージを受信し、第1のアクセス要求メッセージが第1のネットワークスライスの第1の識別子情報を含む、ように特に構成される。
【００２８】
任意の実装では、送信機が第1のメッセージを端末に送信する前に、受信機は、端末によって送信された第3のメッセージを受信し、第3のメッセージが、端末がRANにアクセスしようとしていることを示す指示情報を含む、ようにさらに構成され、送信機は、指示情報に基づいて第1のメッセージを端末に送信する。
【００２９】
任意の実装では、ネットワークスライス情報は、少なくとも1つのネットワークスライスの第2の属性情報を含む。送信機が第1のメッセージを端末に送信する前に、プロセッサは、少なくとも1つのネットワークスライスの第2の属性情報に基づいて、少なくとも1つのネットワークスライスの専用アクセスリソース情報および少なくとも1つのネットワークスライスの共通アクセスリソース情報を判定するようにさらに構成され、プロセッサは、ネットワークスライスの共通アクセスリソース情報に基づいて、ネットワークスライスにプリアンブル割り当てを実行して、グループ化によって取得されたネットワークスライスグループに関する情報、ネットワークスライスグループの共通アクセスリソース情報、およびネットワークスライスグループの共通アクセスリソース情報に対応するプリアンブルを取得するようにさらに構成され、送信機は、第4のメッセージを端末に送信し、第4のメッセージがネットワークスライスグループの共通アクセスリソース情報、ネットワークスライスグループに関する情報、およびネットワークスライスグループの共通アクセスリソース情報に対応するプリアンブルを含む、ようにさらに構成され、受信機は、端末によって送信された第5のメッセージを受信し、第5のメッセージが、端末によるアクセス対象であり、かつネットワークスライスグループの共通アクセスリソース情報、ネットワークスライスグループに関する情報、およびネットワークスライスグループの共通アクセスリソース情報に対応するプリアンブルに基づいて端末によって選択される、ネットワークスライスグループのプリアンブルを含む、ようにさらに構成され、プロセッサは、ネットワークスライスグループのプリアンブルに基づいて、端末によって選択されたネットワークスライスグループを判定するようにさらに構成される。送信機は、ネットワークスライスグループに基づいて第1のメッセージを端末に送信し、第1のメッセージがネットワークスライスグループ内の各ネットワークスライスの専用アクセスリソース情報およびネットワークスライスグループ内の各ネットワークスライスの第2の属性情報を含む、ように特に構成される。受信機は、端末が少なくとも1つのネットワークスライスの第2の属性情報および各ネットワークスライスの専用アクセスリソース情報に基づいて端末によるアクセス対象の第1のネットワークスライスの第1の属性情報および第1のネットワークスライスの専用アクセスリソース情報を選択した後に端末によって送信された第1のアクセス要求メッセージを受信するように特に構成される。
【００３０】
任意の実装では、ネットワークスライス情報は、少なくとも1つのネットワークスライスの第2の属性情報を含む。送信機が第1のメッセージを端末に送信する前に、プロセッサは、少なくとも1つのネットワークスライスの第2の属性情報に基づいて、各ネットワークスライスの第2の識別子情報を判定するようにさらに構成される。送信機は、第1のメッセージを端末に送信し、第1のメッセージが各ネットワークスライスの第2の識別子情報を含む、ように特に構成される。受信機は、端末が少なくとも1つのネットワークスライスの第2の識別子情報および少なくとも1つのネットワークスライスの第2の属性情報に基づいて第1のネットワークスライスの第2の識別子情報を選択した後に端末によって送信された第1のアクセス要求メッセージを受信し、第1のアクセス要求メッセージが第1のネットワークスライスの第2の識別子情報を含む、ように特に構成される。
【００３１】
任意の実装では、プロセッサは、RANによってサポートされるネットワークスライスの無線リソース情報が、第1のネットワークスライスの第1の属性情報によってサポートされるサービス機能を満たさない場合、プロセッサが、アクセス要求拒否メッセージを端末に送信するように送信機に命令する、もしくはプロセッサが、第1のネットワークスライスの第1の属性情報によってサポートされるものと同じサービス機能を有する第2のネットワークスライスを端末のために選択し、第1のネットワークスライスが第2のネットワークスライスとは異なる、ように、またはRANによってサポートされるネットワークスライスの無線リソース情報が、第1のネットワークスライスの第1の属性情報によってサポートされるサービス機能を満たす場合、プロセッサが、端末によるアクセス対象の第2のネットワークスライスを判定し、第1のネットワークスライスが第2のネットワークスライスと同じである、ように特に構成される。
【００３２】
任意の実装では、第1のアクセス要求メッセージが端末の属性情報をさらに含む。プロセッサは、端末の属性情報が、第1のネットワークスライスの第1の属性情報によってサポートされるサービス機能を満たさない場合、プロセッサが、アクセス要求拒否メッセージを端末に送信するように送信機に命令する、もしくはプロセッサが、第1のネットワークスライスの第1の属性情報によってサポートされるものと同じサービス機能を有する第2のネットワークスライスを端末のために選択し、第1のネットワークスライスが第2のネットワークスライスとは異なる、ように、または端末の属性情報が、第1のネットワークスライスの属性情報によってサポートされるサービス機能を満たす場合、プロセッサが、端末によるアクセス対象の第2のネットワークスライスを判定し、第1のネットワークスライスが第2のネットワークスライスと同じである、ように特に構成される。
【００３３】
任意の実装では、送信機は、第2のアクセス要求メッセージをCNに送信し、第2のアクセス要求メッセージが、端末によるアクセス対象であり、かつプロセッサによって判定される第2のネットワークスライスの第1の属性情報を含む、ようにさらに構成され、受信機は、端末によるアクセス対象であり、かつプロセッサによって判定される第2のネットワークスライスの第2の属性情報に基づいてCNによって送信された第2のアクセス応答メッセージを受信するようにさらに構成され、送信機は、第1のアクセス応答メッセージを端末に送信し、第1のアクセス応答メッセージが、端末が第2のネットワークスライスにアクセスするように、端末によるアクセス対象であり、かつCNによって選択される第2のネットワークスライスの第1の属性情報を含む、ようにさらに構成される。
【００３４】
第4の態様によれば、コンピュータ記憶媒体が提供される。コンピュータ記憶媒体は、上記の端末によって使用されるコンピュータソフトウェア命令を記憶するように構成される。コンピュータソフトウェア命令は、上記の態様を実行するように設計されたプログラムを含む。
【００３５】
第5の態様によれば、端末が提供される。端末は、RANによって送信された第1のメッセージを受信し、第1のメッセージがRANによって取得されたネットワークスライス情報を含む、ように構成される受信機と、受信機によって受信されたネットワークスライス情報に基づいて、アクセス対象の第1のネットワークスライスの第1の属性情報を選択するように構成されるプロセッサと、RANが端末によるアクセス対象の第2のネットワークスライスを判定するように、プロセッサによって選択された第1のネットワークスライスの第1の属性情報に基づいて、第1のアクセス要求メッセージをRANに送信するように構成される送信機と、を備え得る。
【００３６】
任意の実装では、ネットワークスライス情報は、少なくとも1つのネットワークスライスの第2の属性情報を含む。受信機は、RANによって送信された第1のメッセージを受信し、第1のメッセージが、少なくとも1つのネットワークスライスの第2の属性情報および少なくとも1つのネットワークスライスの第2の属性情報に基づいてRANによって判定された各ネットワークスライスの専用アクセスリソース情報を含む、ように特に構成される。プロセッサは、少なくとも1つのネットワークスライスの第2の属性情報および各ネットワークスライスの専用アクセスリソース情報に基づいて、アクセス対象の第1のネットワークスライスの専用アクセスリソース情報を選択するように特に構成される。送信機は、第1のネットワークスライスの専用アクセスリソース情報に基づいて、第1のネットワークスライスの専用アクセスリソースで第1のアクセス要求メッセージをRANに送信するように特に構成される。
【００３７】
任意の実装では、ネットワークスライス情報は、少なくとも1つのネットワークスライスの第1の識別子情報を含む。受信機は、RANによって送信された第1のメッセージを受信し、第1のメッセージが少なくとも1つのネットワークスライスの第1の識別子情報を含む、ように特に構成される。プロセッサは、少なくとも1つのネットワークスライスの第1の識別子情報に基づいて、アクセス対象の第1のネットワークスライスの第1の識別子情報を選択するように特に構成される。送信機は、第1のネットワークスライスの第1の識別子情報に基づいて、第1のアクセス要求メッセージをRANに送信し、第1のアクセス要求メッセージが第1のネットワークスライスの第1の識別子情報を含む、ように特に構成される。
【００３８】
任意の実装では、受信機がRANによって送信された第1のメッセージを受信する前に、送信機は、第2のメッセージをRANに送信し、第2のメッセージが、端末がRANにアクセスしようとしていることを示す指示情報を含む、ようにさらに構成され、受信機は、指示情報に基づいて、RANによって送信された第1のメッセージを受信するようにさらに構成される。
【００３９】
任意の実装では、ネットワークスライス情報は、少なくとも1つのネットワークスライスの第2の属性情報を含む。受信機がRANによって送信された第1のメッセージを受信する前に、受信機は、RANによって送信された第3のメッセージを受信し、第3のメッセージが、少なくとも1つのネットワークスライスの第2の属性情報に基づいてRANによって判定された、少なくとも1つのネットワークスライスの共通アクセスリソース情報および少なくとも1つのネットワークスライスの専用アクセスリソース情報、ならびにネットワークスライスの共通アクセスリソース情報に基づいてネットワークスライスにプリアンブル割り当てを実行することによってRANによって取得された、グループ化によって取得されたネットワークスライスグループに関する情報、ネットワークスライスグループの共通アクセスリソース情報、およびネットワークスライスグループの共通アクセスリソース情報に対応するプリアンブルを含む、ようにさらに構成され、プロセッサは、ネットワークスライスグループに関する情報、ネットワークスライスグループの共通アクセスリソース情報、およびネットワークスライスグループの共通アクセスリソース情報に対応するプリアンブルに基づいて、アクセス対象のネットワークスライスグループを選択するようにさらに構成され、送信機は、第4のメッセージをRANに送信し、第4のメッセージが、アクセス対象のネットワークスライスグループのプリアンブルを含む、ようにさらに構成される。受信機は、RANがネットワークスライスグループのプリアンブルに基づいてネットワークスライスグループを判定した後にRANによって送信された第1のメッセージを受信し、第1のメッセージがネットワークスライスグループ内の各ネットワークスライスの専用アクセスリソース情報およびネットワークスライスグループ内の各ネットワークスライスの属性情報を含む、ように特に構成される。プロセッサは、ネットワークスライスグループ内の各ネットワークスライスの専用アクセスリソース情報およびネットワークスライスグループ内の各ネットワークスライスの属性情報に基づいて、アクセス対象の第1のネットワークスライスの専用アクセスリソース情報を選択するように特に構成される。送信機は、第1のネットワークスライスの専用アクセスリソース情報に基づいて、第1のネットワークスライスの専用アクセスリソースで第1のアクセス要求メッセージをRANに送信するように特に構成される。
【００４０】
任意の実装では、ネットワークスライス情報は、少なくとも1つのネットワークスライスの第2の属性情報を含む。受信機は、RANによって送信された第1のメッセージを受信し、第1のメッセージが、少なくとも1つのネットワークスライスの第2の属性情報に基づいてRANによって判定された少なくとも1つのネットワークスライスの第2の識別子情報を含む、ように特に構成される。プロセッサは、少なくとも1つのネットワークスライスの第2の識別子情報に基づいて、アクセス対象の第1のネットワークスライスの第2の識別子情報を選択するように特に構成される。送信機は、第1のネットワークスライスの第2の識別子情報に基づいて、第1のアクセス要求メッセージをRANに送信し、第1のアクセス要求メッセージが第1のネットワークスライスの第2の識別子情報を含む、ように特に構成される。
【００４１】
任意の実装では、ネットワークスライス情報は、少なくとも1つのネットワークスライスの第2の属性情報を含む。プロセッサは、端末の属性情報に基づいて、少なくとも1つのネットワークスライスの第2の属性情報からアクセス対象の第1のネットワークスライスの第1の属性情報を選択するように特に構成される。
【００４２】
任意の実装では、受信機は、第2のネットワークスライスの第1の属性情報に基づいてRANによって送信された第1のアクセス応答メッセージを受信し、第1のアクセス応答メッセージが、端末が第2のネットワークスライスにアクセスするように、端末によるアクセス対象であり、かつコアネットワークCNによって選択される第2のネットワークスライスの第1の属性情報を含む、ようにさらに構成される。
【００４３】
さらに別の態様によれば、コンピュータ記憶媒体が提供される。コンピュータ記憶媒体は、上記の端末によって使用されるコンピュータソフトウェア命令を記憶するように構成される。コンピュータソフトウェア命令は、上記の態様を実行するように設計されたプログラムを含む。
【図面の簡単な説明】
【００４４】
【図１】本発明の一実施形態によるネットワークスライス選択システムの概略構成図である。
【図２Ａ】RANのモデルの概略構成図である。
【図２Ｂ】RANの別のモデルの概略構成図である。
【図２Ｃ】RANのさらに別のモデルの概略構成図である。
【図３】本発明の一実施形態によるネットワークスライス選択方法のシグナリング相互作用図である。
【図４Ａ】本発明の一実施形態による、RANによってネットワークスライス情報を取得するステップのシグナリング相互作用図である。
【図４Ｂ】本発明の一実施形態による、RANによってネットワークスライス情報を取得するステップの別のシグナリング相互作用図である。
【図５】図3に示す別のネットワークスライス選択方法のシグナリング相互作用図である。
【図６】図3に示すさらに別のネットワークスライス選択方法のシグナリング相互作用図である。
【図７】図3に示すさらに別のネットワークスライス選択方法のシグナリング相互作用図である。
【図８】図3に示すさらに別のネットワークスライス選択方法のシグナリング相互作用図である。
【図９】図3に示すさらに別のネットワークスライス選択方法のシグナリング相互作用図である。
【図１０】図3に示すさらに別のネットワークスライス選択方法のシグナリング相互作用図である。
【図１１】本発明の一実施形態による無線アクセス装置の概略構成図である。
【図１２】本発明の一実施形態による端末の概略構成図である。
【図１３】本発明の一実施形態による別の無線アクセス装置の概略構成図である。
【図１４】本発明の一実施形態による別の端末の概略構成図である。
【発明を実施するための形態】
【００４５】
以下、添付の図面および実施形態に関連して、本発明の技術的解決策を詳細に説明する。
【００４６】
本発明で提供されるネットワークスライス選択方法は、ロングタームエボリューション（Long Term Evolution、LTE）システム、または様々な無線アクセス技術を使用する他の無線通信システム、例えば、符号分割多元接続、周波数分割多元接続、時分割多元接続、直交周波数分割多元接続、またはシングルキャリア周波数分割多元接続などのアクセス技術を使用するシステムに適用可能であり得、また、第5世代5Gシステムなど、LTEシステムから後に発展したシステムにも適用可能であり得る。加えて、ネットワークスライス選択方法はまた、WLANシステムにも適用可能であり得る。
【００４７】
図1に示されるシステムフレームワークは、端末と、無線アクセス装置（Radio Access Network、RAN）と、コアネットワークと、を備え得る。RANは、モビリティ管理、リンク管理、およびハンドオーバ管理を様々な種類の端末に提供するように構成される。端末は、RANを使用することによってコアネットワークに接続される。コアネットワークは、端末が通信サービスを確立する過程を制御するように構成される。
【００４８】
場合により、システムフレームワークは、運用、管理、および保守（Operation Administration and Maintenance、OAM）装置をさらに備えることができ、オペレータは、設計要件に応じてOAM装置を使用することによってRANおよび／またはコアネットワークに対する情報構成を実行できる。
【００４９】
端末は、ユーザ機器（User Equipment、UE）、移動局（Mobile Station、MS）、移動端末（Mobile Terminal）、コンピュータ、またはマイクロコンピュータなどを指してもよく、5G端末であってもよい。例えば、端末は、携帯電話（「セルラー」電話と呼ばれることもある）、モバイルコンピュータ、モバイル端末を内蔵したコンピュータ、またはスマートウォッチであってもよい。例えば、端末は、代替的に、無線アクセス装置と音声および／またはデータを交換する、携帯型、ポケットサイズ、手持ち型、コンピュータ内蔵型、または車載移動体装置であってもよい。本発明はこれらに限定を課すものではない。例えば、端末は、マルチキャリア機能を有する有線アクセス端末をさらに含む。
【００５０】
コアネットワークは、LTEシステムにおけるコアネットワーク（Core Network、CN）、5Gコアネットワーク、および次世代コアネットワークを含むが、これらに限定されない。コアネットワークは、複数のネットワークスライスを含み得る。各スライスは特定のサービスを提供する。ネットワークスライスは、例えば、緊急マシンタイプ通信（Machine Type Communication、MTC）スライス、大容量マシンタイプ通信（Machine Type Communication、MTC）スライス、およびモバイルブロードバンド（Mobile Broad Band、MBB）スライスを含む。緊急MTCスライスは、低レイテンシかつデータ量が少ないサービス（無人自動車サービスなど）を提供することができる。大容量MTCスライスは、データ量が少なく、頻繁にアクセスされることのない、大量のレイテンシに強いサービス（センサまたはウェアラブル装置サービスなど）を提供する。MBBスライスは、高いデータレートおよび高い移動性を有するサービス（高精細度映画サービスなど）に使用される。
【００５１】
無線アクセス装置RANは、発展型NodeB（evolved Node B、eNB）、ホーム発展型NodeB（Home ecolved Node B、HeNB）、中継装置Relay、ホームNodeB Femto、マイクロ基地局Pico、および5G基地局を含むがこれらに限定されない。RANおよびコアネットワークは、シグナリング送信を通じてネットワークスライス情報を交換することができる。構成構造の観点から、RANは、物理層、レイヤ2、およびRRC層を含み得る。レイヤ2は、メディアアクセス制御（Medium Access Control、MAC）層、パケットデータコンバージェンスプロトコル（Packet Data Convergence Protocol、PDCP）層、および無線リンク制御（Radio Link Control、RLC）層を含み得る。アクセスリソース情報の観点から、RANは、コアネットワークのネットワークスライスをサポートするための3つのモデルを含み得る。アクセス情報は、物理層アクセスリソース、MAC層アクセス機能、およびRRC層アクセス機能を含み得る。3つのモデルは以下の通りであり得る。
【００５２】
モデル1：異なるネットワークスライスの物理層アクセスリソース、レイヤ2アクセス機能、および無線リソース制御（Radio Resource Control、RRC）層アクセス機能は完全に分離される、すなわち、異なるネットワークスライスのアクセス情報はRAN上で完全に分離される。図2Aに示すように、コアネットワークが2つの異なるネットワークスライスを含む場合、RANは2つの異なるネットワークスライスに対応するアクセスリソースまたは機能を含む。
【００５３】
モデル2：異なるネットワークスライスの物理層アクセスリソースが共有され、レイヤ2アクセス機能とRRC層アクセス機能とが完全に分離されている、すなわち、異なるネットワークスライスが部分的なアクセス情報を共有している。図2Bに示すように、コアネットワークが2つの異なるネットワークスライスを含む場合、RANは、2つの異なるネットワークスライスに対応するアクセスリソースまたは機能を含むだけでなく、2つの異なるネットワークスライスによって共有されるアクセスリソースまたは機能も含む。
【００５４】
モデル2では、アクセスリソース／機能は2つのフェーズに分割でき、フェーズ1のアクセスリソース／機能がすべてのスライス（LTEのランダムアクセスチャネル（Random Access Channel、RACH）リソースなど）によって共有され、フェーズ2のアクセスリソース／機能は各スライス専用であることが理解されよう。
【００５５】
モデル3：異なるネットワークスライスの物理層アクセスリソース、レイヤ2アクセス機能、およびRRC層アクセス機能は完全に共有される、すなわち、異なるネットワークスライスはアクセス情報を完全に共有する。図2Cに示すように、コアネットワークが2つの異なるネットワークスライスを含む場合、RANは、2つの異なるネットワークスライスによって共有されるアクセスリソースまたは機能を含む。
【００５６】
図1では、様々なタイプの端末が、RANの異なるモデルを使用することによって異なるコアネットワークスライスにアクセスし、その結果、コアネットワークが特定の通信サービスを実行するために最終的に端末を制御することが分かる。
【００５７】
図3は、本発明の一実施形態によるネットワークスライス選択方法のシグナリング相互作用図である。図3に示すように、本方法は、以下のステップを含み得る。
【００５８】
ステップ310：無線アクセス装置RANがネットワークスライス情報を取得する。
【００５９】
場合により、無線アクセス装置RANは、コアネットワークCN、または運用、管理、および保守OAMからネットワークスライス情報を以下の仕方で取得し得る。
【００６０】
RANは、以下の仕方でネットワークスライス情報を取得し得る。
【００６１】
第1の仕方では、RANはCNからネットワークスライス情報を取得する。
【００６２】
図4Aに示すように、RANとCNとの間の接続セットアップ過程において、RANはセットアップ要求メッセージをCNに送信し、セットアップ要求メッセージがスライスサポートIEのためのRAN能力（RAN capability for slice support IE）を含むことができ、CNがセットアップ要求応答メッセージをRANに送信し、セットアップ要求応答メッセージが少なくとも1つのネットワークスライス情報を含むことができ、その結果、RANはネットワークスライス情報を取得する。
【００６３】
図4Bに示すように、構成更新過程において、CNは構成更新メッセージをRANに送信し、構成更新メッセージはCNによって修正された少なくとも1つのネットワークスライス情報を含むことができ、その結果、RANはネットワークスライス情報を取得する。
【００６４】
第2の仕方では、RANはOAM装置からネットワークスライス情報を取得する。
【００６５】
RANが開始すると、構成更新過程において、OAM装置は構成メッセージをRANに送信し、構成メッセージは少なくとも1つのネットワークスライス情報を含むことができ、その結果、RANはネットワークスライス情報を取得する。OAM装置は、オペレータの設計要件に応じて、RANに送信されたネットワークスライス情報を構成し得ることに留意されたい。換言すれば、RANがOAM装置からネットワークスライス情報を取得する過程は、ある程度オペレータにより構成可能である。
【００６６】
ネットワークスライス情報は、少なくとも1つのネットワークスライスの第1の属性情報を含み得る。ネットワークスライスの第1の属性情報は、以下、すなわち、ネットワークスライスの第1の識別子情報（Identification、ID）、ネットワークスライスのキーサービス属性情報、ネットワークスライスによってサポートされるサービスに関する情報、ネットワークスライスの許可情報、ネットワークスライスのコアネットワーク負荷情報、ネットワークスライスのカバレッジ情報などのうちの1つ以上を含み得る。
【００６７】
例として3つのネットワークスライスを使用すると、ネットワークスライスのキーサービス属性は、ネットワークスライス1の拡張マシンタイプ通信（Enhanced Machine Type Communication、eMBB）、ネットワークスライス2の拡張モバイルブロードバンド（Enhanced Mobile Broad Band、eMTC）、およびネットワークスライス3の超高信頼低遅延通信（Ultra-reliable and Low Latency Communications、URLLC）、車両通信（Vehicle to X、V2X）などを含むことができる。
【００６８】
ネットワークスライスによってサポートされるサービスは、サービスのサービス品質（Quality of Service、QoS）、サービス品質クラス識別子（QoS Class Identifier、QCI）などを示すことを含み得る。
【００６９】
ネットワークスライスの許可情報は、端末のサービス機能に対するコアネットワークのアクセス許可に関する情報を含み得る。
【００７０】
ネットワークスライスのコアネットワーク負荷情報は、コアネットワーク上の各ネットワークスライスの負荷情報を含み得る。
【００７１】
ネットワークスライスのカバレッジ情報は、ネットワークスライスのサービス実行中のカバレッジエリア情報を含み得る。
【００７２】
上記の2つの方法は、RANがネットワークスライスを取得する方法に関する限定を構成するものではなく、RANは、ネットワークスライス情報を代替的に別の仕方で取得することができる、例えばネットワークを最適化するようにOAM装置からネットワークスライス情報を取得することができることに留意されたい。
【００７３】
場合により、RANがネットワークスライス情報を取得する過程において、RANのアクセスリソースまたは機能がCNによって提供される少なくとも1つのネットワークスライスの要件を満たすことができない場合、RANは、CNの一部のネットワークスライスのみをサポートすることを選択し得る。例えば、RANは、CNによって提供されたネットワークスライスの優先順位に基づいて、RANのアクセスリソースまたは機能によってサポートされているネットワークスライスを選択することができる。
【００７４】
RANは、（構成更新応答メッセージなどの）シグナリング送信を通じて、RANによって現在サポートされ得るネットワークスライスを示し、システムメッセージまたはアクセス応答メッセージに修正されたネットワークスライス情報を追加することができる。
【００７５】
ステップ320：RANは第1のメッセージを端末に送信し、第1のメッセージがネットワークスライス情報を含み得る。
【００７６】
RANは、第1のメッセージを端末に送信し、第1のメッセージがブロードキャストシステムメッセージまたはアクセス応答メッセージであり、システムメッセージまたはアクセス応答メッセージは、取得されたネットワークスライス情報を運び、その結果、端末はネットワークスライス情報を取得する。ネットワークスライス情報は、少なくとも1つのネットワークスライスの第1の属性情報を含み得る。
【００７７】
ステップ330：端末は、RANによって送信されたネットワークスライス情報に基づいて、アクセス対象の第1のネットワークスライスの第2の属性情報を選択する。
【００７８】
端末は、端末の属性情報（端末のサービス情報、無線リソース情報、およびモビリティ情報など）に基づいて、ネットワークスライス情報内の少なくとも1つのネットワークスライスの第1の属性情報から、アクセス対象の第1のネットワークスライスの第2の属性情報を選択する。
【００７９】
第1のネットワークスライスの第2の属性情報は、ネットワークスライスの第1の属性情報と同じでも異なっていてもよい。第1のネットワークスライスの第2の属性情報は、ネットワークスライスの第1の識別子情報ID、ネットワークスライスの第2の識別子情報（ネットワークスライスのプリアンブル、ネットワークスライスの信号、およびネットワークスライスのシーケンスなど）、および専用アクセスリソース情報を含み得るが、これらに限定されない。
【００８０】
以下の態様では、端末は、第1のネットワークスライスの第2の属性情報を選択することができる。
【００８１】
サービスの一態様では、端末は、アクセス対象の第1のネットワークスライスの第2の属性情報として、端末のサービス情報と一致するネットワークスライスに対応するネットワークスライスの第1の属性情報を選択することができる。
【００８２】
無線リソースの一態様では、異なるネットワークスライスが個々の無線リソースを有する場合、端末は、アクセス対象の第1のネットワークスライスの第2の属性情報として、最良の無線品質を有するネットワークスライスに対応する、ネットワークスライスの第1の属性情報を選択してもよいし、アクセス対象の第1のネットワークスライスの第2の属性情報として、特定の閾値を超える無線品質を有するネットワークスライスに対応する、ネットワークスライスの第1の属性情報を選択してもよい。
【００８３】
端末によって受信されたネットワークスライス情報に各ネットワークスライスのコアネットワーク負荷情報が含まれている場合、端末は、アクセス対象の第1のネットワークスライスの第2の属性情報として、負荷が比較的小さいネットワークスライスに対応する、ネットワークスライスの第1の属性情報を選択してもよい。
【００８４】
端末によって受信されたネットワークスライス情報に各ネットワークスライスの許可情報が含まれている場合、端末は、アクセス対象の第1のネットワークスライスの第2の属性情報として、許可されたネットワークスライスに対応する、ネットワークスライスの第1の属性情報を選択してもよい。
【００８５】
端末によって受信されたネットワークスライス情報に各ネットワークスライスのカバレッジ情報が含まれている場合、端末は、端末のモビリティを考慮することによって、アクセス対象の第1のネットワークスライスの第2の属性情報として、ネットワークスライスに対応する、ネットワークスライスの第1の属性情報を選択してもよい。例えば、端末が高速で移動する場合、端末は大きいカバレッジを有するネットワークスライスを選択してもよく、または端末が低速で移動する場合、端末は小さいカバレッジを有するネットワークスライスを選択してもよい。
【００８６】
上記の態様のそれぞれについて、端末は、重みを使用することによって各態様の能力を判定することができることに留意されたい。重みは、端末によって事前設定されてもよいし、RANまたはCNによって端末に送信されてもよい。
【００８７】
ステップ340：端末が第1のアクセス要求メッセージをRANに送信する。
【００８８】
第1のアクセス要求メッセージは、端末によるアクセス対象の第1のネットワークスライスの第2の属性情報を含んでもよいし、RANによってカバーされるセルの指示情報（プリアンブルなど）を含んでもよい。第1のアクセス要求メッセージは、RRC接続要求（RRC connection request）メッセージまたはRRC接続設定完了（RRC connection setup complete）メッセージであってもよい。
【００８９】
場合により、第1のアクセス要求メッセージは、RANがネットワークスライスを迅速に選択するように、端末のサービス、無線リソース、およびモビリティなどの端末の属性情報をさらに含むことができる。
【００９０】
ステップ350：RANは、第1のネットワークスライスの第2の属性情報に基づいて、端末によるアクセス対象の第2のネットワークスライスを判定する。
【００９１】
RANは、端末によるアクセス対象の第2のネットワークスライスを判定するために、第1のネットワークスライスの第2の属性情報について選択および判断を実行する。
【００９２】
場合により、RANが第1のネットワークスライスの第2の属性情報について選択および判断を実行する場合、端末によるアクセス対象の第2のネットワークスライスは、代替的に、RANによってサポートされるネットワークスライスの無線リソース情報（RANによってサポートされるネットワークスライスの無線リソース負荷など）を使用することによって判定され得る。
【００９３】
RANによってサポートされるネットワークスライスの無線リソース情報が、第1のネットワークスライスの第2の属性情報によってサポートされるサービス機能要件を満たさない場合、RANは、第1のアクセス要求拒否メッセージを端末に送信し、その結果、端末は第1のネットワークスライスの属性情報を再選択する、またはRANは、第1のネットワークスライスの第2の属性情報によってサポートされるものと同じサービス機能を有する第2のネットワークスライスを端末のために選択し、第1のネットワークスライスは第2のネットワークスライスとは異なる。
【００９４】
RANによってサポートされるネットワークスライスの属性情報が、第1のネットワークスライスの第2の属性情報によってサポートされるサービス機能要件を満たす場合、RANは、端末によるアクセス対象の第2のネットワークスライスを判定し、第1のネットワークスライスは第2のネットワークスライスと同じである。
【００９５】
場合により、RANが第1のネットワークスライスの第2の属性情報について選択および判断を実行する場合、端末によるアクセス対象の第2のネットワークスライスは、代替的に、端末の属性情報（端末のサービス、無線リソース、およびモビリティなど）を考慮することによって判定され得る。
【００９６】
端末の属性情報が、第1のネットワークスライスの第2の属性情報によってサポートされるサービス機能要件を満たさない場合、RANは、第1のアクセス要求拒否メッセージを端末に送信し、その結果、端末は第1のネットワークスライスの属性情報を再選択する、またはRANは、第1のネットワークスライスの第2の属性情報によってサポートされるものと同じサービス機能を有する第2のネットワークスライスを端末のために選択し、第1のネットワークスライスは第2のネットワークスライスとは異なる。
【００９７】
端末の属性情報が、第1のネットワークスライスの第2の属性情報によってサポートされるサービス機能要件を満たす場合、RANは、端末によるアクセス対象の第2のネットワークスライスを判定し、第1のネットワークスライスは第2のネットワークスライスと同じである。
【００９８】
RANが第1のネットワークスライスの第2の属性情報について選択および判断を実行する場合、端末によるアクセス対象の第2のネットワークスライスは、RANによってサポートされるネットワークスライスの無線リソース情報と端末の属性情報とを別々に使用することによって判定されてもよいし、RANによってサポートされるネットワークスライスの無線リソース情報と端末の属性情報との両方を使用することによって判定されてもよいことに留意されたい。さらに、設計要件に応じて他の因子が追加されてもよい。
【００９９】
ステップ360：RANが第2のアクセス要求メッセージをコアネットワークに送信し、第2のアクセス要求メッセージは、端末によるアクセス対象であり、かつRANによって判定される第2のネットワークスライスの第2の属性情報を含む。
【０１００】
場合により、コアネットワークは端末の要求に対して許可判断を実行することができる。コアネットワークが端末のアクセス要求に対して許可制限を有する場合、コアネットワークは第2のアクセス要求拒否メッセージをRANに送信する。この場合、RANは、第1のネットワークスライスの第2の属性情報によってサポートされるものと同じサービス機能を有する第2のネットワークスライスを端末のために選択してもよいし、端末が第1のネットワークスライスの第2の属性情報を再選択するように、第1のアクセス要求拒否メッセージを端末に送信してもよい。
【０１０１】
ステップ370：RANは、端末によるアクセス対象であり、かつRANによって判定される第2のネットワークスライスの第2の属性情報に基づいてCNによって送信された第2のアクセス応答メッセージを受信する。
【０１０２】
ステップ380：RANは、第1のアクセス応答メッセージを端末に送信し、第1のアクセス応答メッセージが、端末が第2のネットワークスライスにアクセスするように、端末によるアクセス対象であり、かつCNによって選択される第2のネットワークスライスの第2の属性情報を含む。
【０１０３】
本発明の本実施形態で提供されるネットワークスライス選択方法によれば、無線アクセス装置RANは、ネットワークスライス情報を取得し、次いで、RANは、第1のメッセージを端末に送信し、第1のメッセージがネットワークスライス情報を含み、RANは、端末がネットワークスライス情報に基づいて端末によるアクセス対象の第1のネットワークスライスの第1の属性情報を選択した後に端末によって送信された第1のアクセス要求メッセージを受信し、RANは、第1のネットワークスライスの第1の属性情報に基づいて、端末によるアクセス対象の第2のネットワークスライスを判定し、第1のネットワークスライスは第2のネットワークスライスと同じであるかまたは異なる。本方法により、ネットワークスライスをオペレータが柔軟に構成できるようになり、端末がネットワークスライスを選択する過程における通信レイテンシおよびシグナリングオーバーヘッドがさらに低減される。
【０１０４】
以下、RANがコアネットワークCNからネットワーク情報スライスを取得する例を使用することによって、RANの異なるモデルに基づいてコアネットワークの第2のネットワークスライスを選択するための方法を具体的に説明する。
【０１０５】
図5は、図3に示す別のネットワークスライス選択方法のシグナリング相互作用図である。図5に示すように、本方法はRANのモード2に適用される。本方法は以下のステップを含み得る。
【０１０６】
ステップ510：無線アクセス装置RANは、コアネットワークCNから少なくとも1つのネットワークスライスの第1の属性情報を取得する。
【０１０７】
ステップ520：RANは第1のメッセージを端末に送信し、第1のメッセージが少なくとも1つのネットワークスライスの第1の属性情報を含み得る。
【０１０８】
場合により、RANが第1のメッセージを端末に送信する前に、RANは、少なくとも1つのネットワークスライスの第1の属性情報に基づいて、各ネットワークスライスの専用アクセスリソース情報を判定する。RANはシステムメッセージを端末に送信し、システムメッセージはRANによってカバーされるセルの指示情報（プリアンブルなど）を含み得る。
【０１０９】
端末は、共通リソース上で第2のメッセージ（初期アクセス要求メッセージなど）をRANに送信し、第2のメッセージは端末がRANにアクセスすることになっていることを示すために指示情報（プリアンブルなど）を含み得る。
【０１１０】
ステップ520においてRANが第1のメッセージを端末に送信することは、特に、
RANによって、受信された第2のメッセージに基づいて共通リソース上で第1のメッセージを端末に送信するステップであって、第1のメッセージが、少なくとも1つのネットワークスライスの第1の属性情報と各ネットワークスライスの専用アクセスリソース情報とを含むことができ、第1のメッセージは初期アクセス応答メッセージであり得る、ステップ
である。
【０１１１】
ステップ530：端末は、少なくとも1つのネットワークスライスの第1の属性情報に基づいて、アクセス対象の第1のネットワークスライスの専用アクセスリソース情報を選択する。
【０１１２】
端末は、端末のサービス、無線リソース、およびモビリティなどの端末の属性情報に基づいて、少なくとも1つのネットワークスライスの第1の属性情報および各ネットワークスライスの専用アクセスリソース情報から、アクセス対象の第1のネットワークスライスの専用リソース情報を選択する。
【０１１３】
ステップ540：端末は、第1のネットワークスライスの専用アクセスリソース情報に基づいて第1のアクセス要求メッセージをRANに送信する。
【０１１４】
各ネットワークスライスは対応する専用アクセスリソース情報を有するため、端末は、RANが端末によって要求されたサービス機能に対応するネットワークスライスを迅速に検出するように、第1のネットワークスライスの専用アクセスリソース情報に基づいて専用リソース上で第1のアクセス要求メッセージをRANに送信し、第1のアクセス要求メッセージは指示情報（プリアンブルなど）を含み得る。場合により、第1のアクセス要求メッセージは、RANがネットワークスライスを迅速に選択するように、端末のサービス、無線リソース、およびモビリティなどの端末の属性情報をさらに含むことができる。
【０１１５】
後続のステップ550からステップ580はステップ350からステップ380と同じであり、ここでは詳細を繰り返し説明しないことに留意されたい。
【０１１６】
本発明において提供される上記の実施形態は、部分的に共有されるアクセスリソース情報を有するモデル2に適用される。RANは、少なくとも1つのネットワークスライスの第1の属性情報に基づいて少なくとも1つのネットワークスライスの専用リソース情報を判定し、少なくとも1つのネットワークスライスの専用リソース情報を使用することによって異なるネットワークスライスを区別し、RANは、初期アクセス応答を使用して、少なくとも1つのネットワークスライスの専用リソース情報を端末に通知し、その結果、端末はアクセス対象のネットワークスライスを選択する。本実施形態では、コアネットワークの少なくとも1つのネットワークスライスの第1の属性情報が無線インターフェース上で公開されるのを防止することができ、それによってセキュリティを向上させることができる。
【０１１７】
図6は、図3に示すさらに別のネットワークスライス選択方法のシグナリング相互作用図である。図6に示すように、本方法はRANのモード3に適用される。本方法は以下のステップを含み得る。
【０１１８】
ステップ610：無線アクセス装置RANは、コアネットワークCNから少なくとも1つのネットワークスライスの第1の属性情報を取得する。
【０１１９】
ステップ620：RANは第1のメッセージを端末に送信し、第1のメッセージが少なくとも1つのネットワークスライスの第1の属性情報を含み得る。
【０１２０】
場合により、RANが第1のメッセージを端末に送信する前に、RANは、RANによってカバーされるセルの指示情報（プリアンブルなど）を端末に送信するために、システムメッセージを端末に送信する。
【０１２１】
端末は、共通リソース上で第2のメッセージ（初期アクセス要求メッセージなど）をRANに送信し、第2のメッセージは端末がRANにアクセスすることになっていることを示すために指示情報（プリアンブルなど）を含み得る。
【０１２２】
RANが第1のメッセージを端末に送信することは、特に、
RANによって、受信された第2のメッセージに基づいて第1のメッセージを端末に送信するステップであって、第1のメッセージが少なくとも1つのネットワークスライスの第1の属性情報を含み、ネットワークスライスの第1の属性情報がネットワークスライスの第1の識別子情報であり得る、ステップ
である。
【０１２３】
ステップ630：端末は、少なくとも1つのネットワークスライスの第1の属性情報に基づいて、アクセス対象の第1のネットワークスライスの第1の識別子情報を選択する。
【０１２４】
端末は、少なくとも1つのネットワークスライスの第1の識別子情報に基づいて、アクセス対象の第1のネットワークスライスの第1の識別子情報を選択する。
【０１２５】
端末は、端末のサービス、無線リソース、およびモビリティなどの端末の属性情報に基づいて、少なくとも1つのネットワークスライスの第1の識別子情報から、アクセス対象の第1のネットワークスライスの第1の識別子情報を選択する。
【０１２６】
ステップ640：端末は第1のアクセス要求メッセージをRANに送信し、第1のアクセス要求メッセージは第1のネットワークスライスの第1の識別子情報を含む。
【０１２７】
端末は、共通リソース上で第1のアクセス要求メッセージをRANに送信し、第1のアクセス要求メッセージは第1のネットワークスライスの第1の識別子情報を含み得る。
【０１２８】
場合により、第1のアクセス要求メッセージは、RANがネットワークスライスを迅速に選択するように、端末のサービス、無線リソース、およびモビリティなどの端末の属性情報をさらに含むことができる。
【０１２９】
後続のステップ650からステップ680はステップ350からステップ380と同じであり、ここでは詳細を繰り返し説明しないことに留意されたい。
【０１３０】
本発明において提供される上記の実施形態は、完全に共有されるアクセスリソース情報を有するモデル3に適用される。少なくとも1つのネットワークスライスの第1の識別子情報を使用することによって異なるネットワークスライスが直接区別され、RANが、初期アクセス応答を使用して、少なくとも1つのネットワークスライスの第1の属性情報を端末に通知し、その結果、コアネットワークの少なくとも1つのネットワークスライスの第1の属性情報が無線インターフェースに公開されることを防止することができ、セキュリティが向上する。
【０１３１】
図7は、図3に示すさらに別のネットワークスライス選択方法のシグナリング相互作用図である。図7に示すように、本方法はRANのモード2に適用される。本方法は以下のステップを含み得る。
【０１３２】
ステップ710：無線アクセス装置RANは、コアネットワークCNから少なくとも1つのネットワークスライスの第1の属性情報を取得する。
【０１３３】
ステップ720：RANは第1のメッセージを端末に送信し、第1のメッセージが少なくとも1つのネットワークスライスの第1の属性情報を含み得る。
【０１３４】
場合により、RANが第1のメッセージを端末に送信する前に、RANが、少なくとも1つのネットワークスライスの第1の属性情報に基づいて、少なくとも1つのネットワークスライスの専用アクセスリソース情報および少なくとも1つのネットワークスライスの共通アクセスリソース情報を判定する。
【０１３５】
RANは、ネットワークスライスグループを取得するために、ネットワークスライスの共通アクセスリソース情報に基づいて少なくとも1つのネットワークスライスをグループ化する。RANは、グループ化によって取得されたネットワークスライスグループの情報、ネットワークスライスグループの共通アクセスリソース情報、およびネットワークスライスグループの共通アクセスリソース情報に対応するプリアンブルを取得するために、ネットワークスライスグループにプリアンブル割り当てを実行する。
【０１３６】
一例では、RANは、ネットワークスライスの共通アクセスリソース情報に基づいて10個のネットワークスライスを2つのグループにグループ化し、各グループは同じ共通アクセスリソース情報を有し、各グループは5つのネットワークスライスを含む。RANは、2つのネットワークスライスグループにプリアンブル割り当てを実行し、各グループがプリアンブルのグループを有する。各グループ内の5つのネットワークスライスはそれぞれ専用アクセスリソース情報を有することが理解されよう。
【０１３７】
場合により、RANは第2のメッセージを端末に送信し、第2のメッセージは、ネットワークスライスグループの共通アクセスリソース情報、ネットワークスライスグループに関する情報、およびネットワークスライスグループの共通アクセスリソース情報に対応するプリアンブルを含むことができ、第2のメッセージはブロードキャストシステム情報であり得る。
【０１３８】
端末は、受信された、ネットワークスライスグループの共通アクセスリソース情報、ネットワークスライスグループに関する情報、およびネットワークスライスグループの共通アクセスリソース情報に対応するプリアンブルに基づいて、アクセス対象のネットワークスライスグループを選択する。
【０１３９】
端末は第3のメッセージをRANに送信し、第3のメッセージはアクセス対象のネットワークスライスグループのプリアンブルを含み得る。
【０１４０】
RANは、ネットワークスライスグループの受信されたプリアンブルに基づいて、端末によって選択されたネットワークスライスグループを判定する。
【０１４１】
RANが第1のメッセージを端末に送信することは、
RANによって、ネットワークスライスグループに基づいて、第1のメッセージを端末に送信するステップであって、第1のメッセージが、ネットワークスライスグループ内の各ネットワークスライスの専用アクセスリソース情報とネットワークスライスグループ内の各ネットワークスライスの第1の属性情報とを含む、ステップ
を特に含む。
【０１４２】
ステップ730：端末は、少なくとも1つのネットワークスライスの第1の属性情報に基づいて、アクセス対象の第1のネットワークスライスの専用アクセスリソース情報を選択する。
【０１４３】
端末は、端末のサービス、無線リソース、モビリティなどの端末の属性情報に基づいて、各ネットワークスライスの専用アクセスリソース情報および少なくとも1つのネットワークスライスの第1の属性情報から、アクセス対象の第1のネットワークスライスの専用アクセスリソース情報を選択する。
【０１４４】
ステップ740：端末は、第1のネットワークスライスの専用アクセスリソース情報に基づいて第1のアクセス要求メッセージをRANに送信する。
【０１４５】
各ネットワークスライスは対応する専用アクセスリソース情報を有するため、端末は、RANが端末によって要求されたサービス機能に対応するネットワークスライスを迅速に検出するように、第1のネットワークスライスの専用アクセスリソース情報に基づいて専用リソース上で第1のアクセス要求メッセージをRANに送信し、第1のアクセス要求メッセージは指示情報（プリアンブルなど）を含み得る。
【０１４６】
場合により、第1のアクセス要求メッセージは、RANがネットワークスライスを迅速に選択するように、端末のサービス、無線リソース、およびモビリティなどの端末の属性情報をさらに含むことができる。
【０１４７】
後続のステップ750からステップ780はステップ350からステップ380と同じであり、ここでは詳細を繰り返し説明しないことに留意されたい。
【０１４８】
本発明において提供される上記の実施形態によれば、端末によって使用される専用アクセスリソース情報は、端末によって選択された第1のネットワークスライスの専用アクセスリソース情報を示すために使用される。ネットワークスライス情報はRAN側でグループ化され、各ネットワークスライスグループの専用アクセスリソース情報の共通部分が判定される、すなわち、共通アクセスリソース情報が取得され、各ネットワークスライスに対する特別な部分が判定される、すなわち、専用アクセスリソース情報が取得される。RANは、ネットワークスライスの共通アクセスリソース情報に基づいてプリアンブルをグループ化し、プリアンブルの各グループは、1つのネットワークスライスグループの共通アクセスリソース情報に対応する。RANは、端末によって選択され、かつ共通アクセスリソース情報に対応するネットワークスライスグループに基づいて、端末がアクセス対象のネットワークスライスを選択するように、ネットワークスライスグループ内の各ネットワークスライスの専用アクセスリソース情報および各ネットワークスライスの第1の属性情報を端末に送信する。
【０１４９】
図8は、図3に示す別のネットワークスライス選択方法のシグナリング相互作用図である。本方法はRANのモード3に適用される。図8に示すように、本方法は以下のステップを含み得る。
【０１５０】
ステップ810：無線アクセス装置RANは、コアネットワークCNから少なくとも1つのネットワークスライスの第1の属性情報を取得する。
【０１５１】
ステップ820：RANは第1のメッセージを端末に送信し、第1のメッセージが少なくとも1つのネットワークスライスの第1の属性情報を含み得る。
【０１５２】
ネットワークスライスの第1の属性情報は、ネットワークスライスの第1の識別子情報であり得る。
【０１５３】
ステップ830：端末は、少なくとも1つのネットワークスライスの第1の属性情報に基づいて、アクセス対象の第1のネットワークスライスの第1の識別子情報を選択する。
【０１５４】
端末は、少なくとも1つのネットワークスライスの第1の識別子情報に基づいて、アクセス対象の第1のネットワークスライスの第1の識別子情報を選択する。
【０１５５】
端末は、端末のサービス、無線リソース、およびモビリティなどの端末の属性情報に基づいて、少なくとも1つのネットワークの第1の識別子情報からアクセス対象の第1のネットワークスライスの属性情報を選択し、属性情報は第1のネットワークスライスの第1の識別子情報であり得る。
【０１５６】
ステップ840：端末は第1のアクセス要求メッセージをRANに送信し、第1のアクセス要求メッセージは第1のネットワークスライスの第1の識別子情報を含む。
【０１５７】
端末は、共通リソース上で第1のアクセス要求メッセージをRANに送信し、第1のアクセス要求メッセージは第1のネットワークスライスの第1の識別子情報を含み得る。
【０１５８】
場合により、第1のアクセス要求メッセージは、RANがネットワークスライスを迅速に選択するように、端末のサービス、無線リソース、およびモビリティなどの端末の属性情報をさらに含むことができる。
【０１５９】
後続のステップ850からステップ880はステップ350からステップ380と同じであり、ここでは詳細を繰り返し説明しないことに留意されたい。
【０１６０】
本発明において提供される上記の実施形態は、完全に共有されるアクセスリソース情報を有するモデル3に適用される。少なくとも1つのネットワークスライスの第1の識別子情報を使用することによって異なるネットワークスライスが直接区別され、RANは、端末がアクセス対象のネットワークスライスを選択するように、初期アクセス応答を使用して、少なくとも1つのネットワークスライスの第1の属性情報を端末に通知する。
【０１６１】
図9は、図3に示すさらに別のネットワークスライス選択方法のシグナリング相互作用図である。本方法はRANのモード1に適用される。図9に示すように、本方法は以下のステップを含み得る。
【０１６２】
ステップ910：無線アクセス装置RANは、コアネットワークCNから少なくとも1つのネットワークスライスの第1の属性情報を取得する。
【０１６３】
ステップ920：RANは第1のメッセージを端末に送信し、第1のメッセージが少なくとも1つのネットワークスライスの第1の属性情報を含み得る。
【０１６４】
場合により、RANが第1のメッセージを端末に送信する前に、RANは、少なくとも1つのネットワークスライスの第1の属性情報に基づいて、各ネットワークスライスの専用アクセスリソース情報を判定する。
【０１６５】
ステップ920においてRANが第1のメッセージを端末に送信することは、特に、
RANによって、第1のメッセージを端末に送信するステップであって、第1のメッセージは、各ネットワークスライスの専用アクセスリソース情報および少なくとも1つのネットワークスライスの第1の属性情報を含むことができ、第1のメッセージはシステムメッセージであり得る、ステップ
である。
【０１６６】
ステップ930：端末は、少なくとも1つのネットワークスライスの第1の属性情報に基づいて、アクセス対象の第1のネットワークスライスの専用リソース情報を選択する。
【０１６７】
端末は、端末のサービス、無線リソース、およびモビリティなどの端末の属性情報に基づいて、少なくとも1つのネットワークスライスの第1の属性情報および各ネットワークスライスの専用アクセスリソース情報から、アクセス対象の第1のネットワークスライスの専用リソース情報を選択する。
【０１６８】
ステップ940：端末は、第1のネットワークスライスの専用アクセスリソース情報に基づいて第1のアクセス要求メッセージをRANに送信する。
【０１６９】
各ネットワークスライスは対応する専用アクセスリソース情報を有するため、端末は、RANが端末によって要求されたサービス機能に対応するネットワークスライスを迅速に検出するように、第1のネットワークスライスの専用アクセスリソース情報に基づいて専用リソース上で第1のアクセス要求メッセージをRANに送信し、第1のアクセス要求メッセージは指示情報（プリアンブルなど）を含み得る。
【０１７０】
場合により、第1のアクセス要求メッセージは、端末のサービス、無線リソース、およびモビリティなどの端末の属性情報をさらに含むことができる。後続のステップはステップ350からステップ380と同じであり、ここでは詳細を繰り返し説明しないことに留意されたい。
【０１７１】
本発明において提供される上記の実施形態は、完全に別々のアクセスリソース情報を有するモデル1に適用される。RANは、少なくとも1つのネットワークスライスの第1の属性情報に基づいて少なくとも1つのネットワークスライスの専用リソース情報を判定し、少なくとも1つのネットワークスライスの専用リソース情報を使用することによって異なるネットワークスライスを区別し、RANは、初期アクセス応答を使用して、少なくとも1つのネットワークスライスの専用リソース情報を端末に通知し、その結果、端末はアクセス対象のネットワークスライスを選択する。
【０１７２】
図10は、図3に示すさらに別のネットワークスライス選択方法のシグナリング相互作用図である。本方法はRANのモード3に適用される。図10に示すように、本方法は以下のステップを含み得る。
【０１７３】
ステップ1010：無線アクセス装置RANは、コアネットワークCNから少なくとも1つのネットワークスライスの第1の属性情報を取得する。
【０１７４】
ステップ1020：RANは第1のメッセージを端末に送信し、第1のメッセージが少なくとも1つのネットワークスライスの第1の属性情報を含み得る。
【０１７５】
場合により、RANが第1のメッセージを端末に送信する前に、RANは、少なくとも1つのネットワークスライスの第1の属性情報に基づいて、少なくとも1つのネットワークスライスの第2の識別子情報を判定する。
【０１７６】
RANが第1のメッセージを端末に送信することは、
RANによって、第1のメッセージを端末に送信するステップであって、第1のメッセージは、少なくとも1つのネットワークスライスの第2の識別子情報および少なくとも1つのネットワークスライスの第1の属性情報を含むことができ、第1のメッセージはシステムメッセージであり得る、ステップ
を特に含む。
【０１７７】
ステップ1030：端末は、少なくとも1つのネットワークスライスの第1の属性情報に基づいて、アクセス対象の第1のネットワークスライスの第2の識別子情報を選択する。
【０１７８】
端末は、少なくとも1つのネットワークスライスの第2の識別子情報および少なくとも1つのネットワークスライスの第1の属性情報に基づいて、アクセス対象の第1のネットワークスライスの第2の識別子情報を選択する。
【０１７９】
端末は、端末のサービス、無線リソース、およびモビリティなどの端末の属性情報に基づいて、少なくとも1つのネットワークの第2の識別子情報からアクセス対象の第1のネットワークスライスの第2の属性情報を選択し、属性情報は第1のネットワークスライスの第2の識別子情報であり得る。
【０１８０】
ステップ1040：端末は第1のアクセス要求メッセージをRANに送信し、第1のアクセス要求メッセージは第1のネットワークスライスの第2の識別子情報を含む。
【０１８１】
端末は、共通リソース上で第1のアクセス要求メッセージをRANに送信し、第1のアクセス要求メッセージは第1のネットワークスライスの第2の識別子情報を含み得る。
【０１８２】
場合により、第1のアクセス要求メッセージは、端末のサービス、無線リソース、およびモビリティなどの端末の属性情報をさらに含むことができる。
【０１８３】
後続のステップ1050からステップ1080はステップ350からステップ380と同じであり、ここでは詳細を繰り返し説明しないことに留意されたい。
【０１８４】
本発明において提供される上記の実施形態は、完全に共有されるアクセスリソース情報を有するモデル1に適用される。RANは、少なくとも1つのネットワークスライスの第1の属性情報に基づいて少なくとも1つのネットワークスライスの第2の識別子情報を判定し、少なくとも1つのネットワークスライスの第2の識別子情報を使用することによって異なるネットワークスライスを区別し、RANは、初期アクセス応答を使用して、少なくとも1つのネットワークスライスの第1の属性情報および少なくとも1つのネットワークスライスの第2の識別子情報を端末に通知し、その結果、端末はアクセス対象のネットワークスライスを選択する。
【０１８５】
図3から図10の上記のネットワークスライス選択方法に対応して、本発明の一実施形態は無線アクセス装置を提供する。
【０１８６】
図11は、本発明の一実施形態による無線アクセス装置の概略構成図である。図11に示すように、無線アクセス装置は、取得ユニット1110と、送信ユニット1120と、受信ユニット1130と、判定ユニット1140と、を備え得る。
【０１８７】
取得ユニット1110はネットワークスライス情報を取得するように構成される。
【０１８８】
場合により、取得ユニット1110は、コアネットワークCN、または運用、管理、および保守OAMからネットワークスライス情報を取得し得る。
【０１８９】
送信ユニット1120は、第1のメッセージを端末に送信し、第1のメッセージは取得ユニット1110によって取得されたネットワークスライス情報を含む、ように構成される。
【０１９０】
受信ユニット1130は、端末がネットワークスライス情報に基づいて端末によるアクセス対象の第1のネットワークスライスの第2の属性情報を選択した後に端末によって送信された第1のアクセス要求メッセージを受信するように構成される。
【０１９１】
判定ユニット1140は、第1のネットワークスライスの第2の属性情報に基づいて、端末によるアクセス対象の第2のネットワークスライスを判定し、第1のネットワークスライスは第2のネットワークスライスと同じまたは異なる、ように構成される。
【０１９２】
場合により、ネットワークスライス情報が少なくとも1つのネットワークスライスの第1の属性情報を含む場合、送信ユニット1120が第1のメッセージを端末に送信する前に、
判定ユニット1140が、少なくとも1つのネットワークスライスの第1の属性情報に基づいて、各ネットワークスライスの専用アクセスリソース情報を判定するようにさらに構成される。
【０１９３】
送信ユニット1120は、第1のメッセージを端末に送信し、第1のメッセージが、少なくとも1つのネットワークスライスの第1の属性情報と各ネットワークスライスの専用アクセスリソース情報とを含む、ように特に構成される。
【０１９４】
受信ユニット1130は、端末が少なくとも1つのネットワークスライスの第1の属性情報と各ネットワークスライスの専用アクセスリソース情報とに基づいて端末によるアクセス対象の第1のネットワークスライスの第2の属性情報を選択した後に端末によって送信された第1のアクセス要求メッセージを受信するように特に構成される。
【０１９５】
場合により、ネットワークスライス情報が少なくとも1つのネットワークスライスの第1の識別子情報を含む場合、
送信ユニット1120は、第1のメッセージを端末に送信し、第1のメッセージが少なくとも1つのネットワークスライスの第1の識別子情報を含む、ように特に構成される。
【０１９６】
受信ユニット1130が、端末が少なくとも1つのネットワークスライスの第1の識別子情報に基づいて第1のネットワークスライスの第2の属性情報を選択した後に端末によって送信された第1のアクセス要求メッセージを受信し、第1のアクセス要求メッセージが第1のネットワークスライスの第1の識別子情報を含む、ように特に構成される。
【０１９７】
場合により、送信ユニット1120が第1のメッセージを端末に送信する前に、
受信ユニット1130は、端末によって送信された第3のメッセージを受信し、第3のメッセージは、端末がRANにアクセスすることになっていることを示す指示情報を含む、ようにさらに構成される。
【０１９８】
送信ユニット1120は、指示情報に基づいて第1のメッセージを端末に送信するようにさらに構成される。
【０１９９】
場合により、ネットワークスライス情報が少なくとも1つのネットワークスライスの第1の属性情報を含む場合、送信ユニット1120が第1のメッセージを端末に送信する前に、
判定ユニット1140が、少なくとも1つのネットワークスライスの第1の属性情報に基づいて、少なくとも1つのネットワークスライスの専用アクセスリソース情報および少なくとも1つのネットワークスライスの共通アクセスリソース情報を判定するようにさらに構成される。
【０２００】
取得ユニット1110は、グループ化によって取得されたネットワークスライスグループに関する情報、ネットワークスライスグループの共通アクセスリソース情報、およびネットワークスライスグループの共通アクセスリソース情報に対応するプリアンブルを取得するために、ネットワークスライスの共通アクセスリソース情報に基づいて、ネットワークスライスにプリアンブル割り当てを実行するようにさらに構成される。
【０２０１】
送信ユニット1120は第4のメッセージを端末に送信し、第4のメッセージは、ネットワークスライスグループの共通アクセスリソース情報、ネットワークスライスグループに関する情報、およびネットワークスライスグループの共通アクセスリソース情報に対応するプリアンブルを含む、ようにさらに構成される。
【０２０２】
受信ユニット1130は、端末によって送信された第5のメッセージを受信し、第5のメッセージが端末によるアクセス対象であり、かつネットワークスライスグループの共通アクセスリソース情報、ネットワークスライスグループに関する情報、およびネットワークスライスグループの共通アクセスリソース情報に対応するプリアンブルに基づいて端末によって選択されたネットワークスライスグループのプリアンブルを含む、ようにさらに構成される。
【０２０３】
判定ユニット1140は、ネットワークスライスグループのプリアンブルに基づいて、端末によって選択されたネットワークスライスグループを判定するようにさらに構成される。
【０２０４】
次いで、送信ユニット1120は、ネットワークスライスグループに基づいて第1のメッセージを端末に送信し、第1のメッセージが、ネットワークスライスグループ内の各ネットワークスライスの専用アクセスリソース情報とネットワークスライスグループ内の各ネットワークスライスの第2の属性情報とを含む、ように特に構成される。
【０２０５】
受信ユニット1130は、端末が少なくとも1つのネットワークスライスの第1の属性情報と各ネットワークスライスの専用アクセスリソース情報とに基づいて端末によるアクセス対象の第1のネットワークスライスの第2の属性情報および第1のネットワークスライスの専用アクセスリソース情報を選択した後に端末によって送信された第1のアクセス要求メッセージを受信するように特に構成される。
【０２０６】
場合により、ネットワークスライス情報が少なくとも1つのネットワークスライスの第1の属性情報を含む場合、送信ユニット1120が第1のメッセージを端末に送信する前に、
判定ユニット1140が、少なくとも1つのネットワークスライスの第1の属性情報に基づいて、各ネットワークスライスの第2の識別子情報を判定するようにさらに構成される。
【０２０７】
送信ユニット1120は、第1のメッセージを端末に送信し、第1のメッセージが各ネットワークスライスの第2の識別子情報を含む、ように特に構成される。
【０２０８】
受信ユニット1130は、端末が少なくとも1つのネットワークスライスの第2の識別子情報と少なくとも1つのネットワークスライスの第1の属性情報とに基づいて第1のネットワークスライスの第2の識別子情報を選択した後に端末によって送信された第1のアクセス要求メッセージを受信し、第1のアクセス要求メッセージが第1のネットワークスライスの第2の識別子情報を含む、ように特に構成される。
【０２０９】
場合により、判定ユニット1140は、RANによってサポートされるネットワークスライスの無線リソース情報が、第1のネットワークスライスの第2の属性情報によってサポートされるサービス機能を満たさない場合、判定ユニット1140が、アクセス要求拒否メッセージを端末に送信するように送信ユニット1120に命令する、または判定ユニット1140が、第1のネットワークスライスの第2の属性情報によってサポートされるものと同じサービス機能を有する第2のネットワークスライスを端末のために選択し、第1のネットワークスライスは第2のネットワークスライスとは異なる、ように特に構成される。
【０２１０】
RANによってサポートされるネットワークスライスの無線リソース情報が、第1のネットワークスライスの第2の属性情報によってサポートされるサービス機能を満たす場合、判定ユニット1140は、端末によるアクセス対象の第2のネットワークスライスを判定し、第1のネットワークスライスは第2のネットワークスライスと同じである。
【０２１１】
場合により、第1のアクセス要求メッセージが端末の属性情報をさらに含む。
【０２１２】
判定ユニット1140は、端末の属性情報が、第1のネットワークスライスの第2の属性情報によってサポートされるサービス機能を満たさない場合、判定ユニット1140が、アクセス要求拒否メッセージを端末に送信するように送信ユニット1120に命令する、または判定ユニット1140が、第1のネットワークスライスの第2の属性情報によってサポートされるものと同じサービス機能を有する第2のネットワークスライスを端末のために選択し、第1のネットワークスライスは第2のネットワークスライスとは異なる、ように特に構成される。
【０２１３】
端末の属性情報が、第1のネットワークスライスの属性情報によってサポートされるサービス機能を満たす場合、判定ユニット1140は、端末によるアクセス対象の第2のネットワークスライスを判定し、第1のネットワークスライスは第2のネットワークスライスと同じである。
【０２１４】
場合により、送信ユニット1120は、第2のアクセス要求メッセージをCNに送信し、第2のアクセス要求メッセージが、端末によるアクセス対象であり、かつ判定ユニット1140によって判定される第2のネットワークスライスの第1の属性情報を含む、ようにさらに構成される。
【０２１５】
受信ユニット1130は、端末によるアクセス対象であり、かつ判定ユニット1140によって判定される第2のネットワークスライスの第2の属性情報に基づいてCNによって送信された第2のアクセス応答メッセージを受信するようにさらに構成される。
【０２１６】
送信ユニット1120は、第1のアクセス応答メッセージを端末に送信し、第1のアクセス応答メッセージが、端末が第2のネットワークスライスにアクセスするように、端末によるアクセス対象であり、かつCNによって選択される第2のネットワークスライスの第1の属性情報を含む。
【０２１７】
本発明の本実施形態における無線アクセス装置のユニットの機能は、図3から図10のネットワークスライス選択方法の上記の実施形態における対応するステップによって実施され得る。従って、本発明で提供される無線アクセス装置の具体的な作動過程は、ここでは繰り返し説明しない。
【０２１８】
図3から図10の上記のネットワークスライス選択方法に対応して、本発明の一実施形態は端末を提供する。
【０２１９】
図12は、本発明の一実施形態による端末の概略構成図である。図12に示すように、端末は、受信ユニット1210と、選択ユニット1220と、送信ユニット1230と、を備え得る。
【０２２０】
受信ユニット1210は、RANによって送信された第1のメッセージを受信し、第1のメッセージがRANによって取得されたネットワークスライス情報を含む、ように構成される。
【０２２１】
選択ユニット1220は、受信ユニット1210によって受信されたネットワークスライス情報に基づいて、アクセス対象の第1のネットワークスライスの第2の属性情報を選択するように構成される。
【０２２２】
送信ユニット1230は、RANが端末によるアクセス対象の第2のネットワークスライスを判定するように、選択ユニット1220によって選択された第1のネットワークスライスの第2の属性情報に基づいて、第1のアクセス要求メッセージをRANに送信し、第1のネットワークスライスが第2のネットワークスライスと同じまたは異なる、ように構成される。
【０２２３】
場合により、ネットワークスライス情報が少なくとも1つのネットワークスライスの第1の属性情報を含む場合、
受信ユニット1210は、端末のために、RANによって送信された第1のメッセージを受信し、第1のメッセージが少なくとも1つのネットワークスライスの第1の属性情報と、少なくとも1つのネットワークスライスの第1の属性情報に基づいてRANによって判定された各ネットワークスライスの専用アクセスリソース情報と、を含む、ように特に構成される。
【０２２４】
選択ユニット1220は、少なくとも1つのネットワークスライスの第1の属性情報と各ネットワークスライスの専用アクセスリソース情報とに基づいて、アクセス対象の第1のネットワークスライスの専用アクセスリソース情報を選択するように特に構成される。
【０２２５】
送信ユニット1230は、第1のネットワークスライスの専用アクセスリソース情報に基づいて、第1のネットワークスライスの専用アクセスリソースで第1のアクセス要求メッセージをRANに送信するように特に構成される。
【０２２６】
場合により、ネットワークスライス情報が少なくとも1つのネットワークスライスの第1の識別子情報を含む場合、
受信ユニット1210は、RANによって送信された第1のメッセージを受信し、第1のメッセージが少なくとも1つのネットワークスライスの第1の識別子情報を含む、ように特に構成される。
【０２２７】
選択ユニット1220は、少なくとも1つのネットワークスライスの第1の識別子情報に基づいて、アクセス対象の第1のネットワークスライスの第1の識別子情報を選択するように特に構成される。
【０２２８】
送信ユニット1230は、第1のネットワークスライスの第1の識別子情報に基づいて第1のアクセス要求メッセージをRANに送信し、第1のアクセス要求メッセージが第1のネットワークスライスの第1の識別子情報を含む、ように特に構成される。
【０２２９】
場合により、受信ユニット1210がRANによって送信された第1のメッセージを受信する前に、
送信ユニット1230は、第2のメッセージをRANに送信し、第2のメッセージが、端末がRANにアクセスすることになっていることを示す指示情報を含む、ようにさらに構成される。
【０２３０】
受信ユニット1210は、指示情報に基づいてRANによって送信された第1のメッセージを受信するようにさらに構成される。
【０２３１】
場合により、ネットワークスライス情報が少なくとも1つのネットワークスライスの第1の属性情報を含む場合、受信ユニット1210がRANによって送信された第1のメッセージを受信する前に、
受信ユニット1210は、RANによって送信された第3のメッセージを受信し、第3のメッセージが、少なくとも1つのネットワークスライスの第1の属性情報に基づいてRANによって判定された、少なくとも1つのネットワークスライスの共通アクセスリソース情報および少なくとも1つのネットワークスライスの専用アクセスリソース情報、ならびにネットワークスライスの共通アクセスリソース情報に基づいてネットワークスライスにプリアンブル割り当てを実行することによってRANによって取得された、グループ化によって取得されたネットワークスライスグループに関する情報、ネットワークスライスグループの共通アクセスリソース情報、およびネットワークスライスグループの共通アクセスリソース情報に対応するプリアンブルを含む、ようにさらに構成される。
【０２３２】
選択ユニット1220は、ネットワークスライスグループに関する情報、ネットワークスライスグループの共通アクセスリソース情報、およびネットワークスライスグループの共通アクセスリソース情報に対応するプリアンブルに基づいて、アクセス対象のネットワークスライスグループを選択するようにさらに構成される。
【０２３３】
送信ユニット1230は、第4のメッセージをRANに送信し、第4のメッセージがアクセス対象のネットワークスライスグループのプリアンブルを含む、ようにさらに構成される。
【０２３４】
次いで、受信ユニット1210は、RANがネットワークスライスグループのプリアンブルに基づいてネットワークスライスグループを判定した後にRANによって送信された第1のメッセージを受信し、第1のメッセージが、ネットワークスライスグループ内の各ネットワークスライスの専用アクセスリソース情報およびネットワークスライスグループ内の各ネットワークスライスのおよび属性情報を含む、ように特に構成される。
【０２３５】
選択ユニット1220は、ネットワークスライスグループ内の各ネットワークスライスの専用アクセスリソース情報およびネットワークスライスグループ内の各ネットワークスライスの属性情報に基づいて、アクセス対象の第1のネットワークスライスの専用アクセスリソース情報を選択するように特に構成される。
【０２３６】
送信ユニット1230は、第1のネットワークスライスの専用アクセスリソース情報に基づいて、第1のネットワークスライスの専用アクセスリソースで第1のアクセス要求メッセージをRANに送信するように特に構成される。
【０２３７】
場合により、ネットワークスライス情報が少なくとも1つのネットワークスライスの第1の属性情報を含む場合、
受信ユニット1210は、RANによって送信された第1のメッセージを受信し、第1のメッセージが、少なくとも1つのネットワークスライスの第1の属性情報に基づいてRANによって判定された少なくとも1つのネットワークスライスの第2の識別子情報を含む、ように特に構成される。
【０２３８】
選択ユニット1220は、少なくとも1つのネットワークスライスの第2の識別子情報に基づいて、アクセス対象の第1のネットワークスライスの第2の識別子情報を選択するように特に構成される。
【０２３９】
送信ユニット1230は、第1のネットワークスライスの第2の識別子情報に基づいて第1のアクセス要求メッセージをRANに送信し、第1のアクセス要求メッセージが第1のネットワークスライスの第2の識別子情報を含む、ように特に構成される。
【０２４０】
場合により、ネットワークスライス情報が、少なくとも1つのネットワークスライスの第1の属性情報を含む場合、
選択ユニット1220は、端末の属性情報に基づいて、少なくとも1つのネットワークスライスの第1の属性情報からアクセス対象の第1のネットワークスライスの第2の属性情報を選択するように特に構成される。
【０２４１】
場合により、受信ユニット1210は、第2のネットワークスライスの第1の属性情報に基づいて、RANによって送信された第1のアクセス応答メッセージを受信し、第1のアクセス応答メッセージが、端末が第2のネットワークスライスにアクセスするように、端末によるアクセス対象であり、かつコアネットワークCNによって選択される第2のネットワークスライスの第1の属性情報を含む、ようにさらに構成される。
【０２４２】
本発明の本実施形態における端末のユニットの機能は、図3から図10のネットワークスライス選択方法の上記の実施形態における対応するステップによって実施され得る。従って、本発明で提供される端末の具体的な作動過程は、ここでは繰り返し説明しない。
【０２４３】
図3から図10の上記のネットワークスライス選択方法に対応して、本発明の一実施形態は別の無線アクセス装置を提供する。
【０２４４】
図13は、本発明の一実施形態による別の無線アクセス装置の概略構成図である。図13に示すように、無線アクセス装置は、プロセッサ1310と、送信機1320と、受信機1330と、を備え得る。
【０２４５】
プロセッサ1310および送信機1320は、上記の実施形態におけるRANと端末との間の情報の受信および送信をサポートし、端末と別の端末との間の無線通信をサポートするように構成される。プロセッサ1310は、端末と通信を行うための様々な機能を実行する。アップリンクでは、端末からのアップリンク信号は受信機1330によって受信され、端末によって送信されたサービスデータおよびシグナリング情報を復元するためにプロセッサ1310によってさらに処理される。ダウンリンクでは、サービスデータおよびシグナリングメッセージはプロセッサ1310によって処理され、処理された信号は送信機1320を使用することによって端末に送信される。
【０２４６】
具体的には、プロセッサ1310はネットワークスライス情報を取得するように構成される。プロセッサ1310は、コアネットワークCN、または運用、管理、および保守OAMからネットワークスライス情報を取得し得る。
【０２４７】
送信機1320は、第1のメッセージを端末に送信し、第1のメッセージはネットワークスライス情報を含む、ように構成される。
【０２４８】
受信機1330は、端末がネットワークスライス情報に基づいて端末によるアクセス対象の第1のネットワークスライスの第1の属性情報を選択した後に端末によって送信された第1のアクセス要求メッセージを受信するように構成される。
【０２４９】
プロセッサ1310は、第1のネットワークスライスの第1の属性情報に基づいて、端末によるアクセス対象の第2のネットワークスライスを判定し、第1のネットワークスライスが第2のネットワークスライスと同じまたは異なる、ようにさらに構成される。
【０２５０】
無線アクセス装置は、無線アクセス装置のプログラムコードおよびデータを記憶するように構成されるメモリ1340と、通信ユニットであって、通信ユニット1350が別のネットワークエンティティとの通信をサポートするように構成される、例えば無線アクセス装置とコアネットワークエンティティとの間の通信をサポートするように構成される、通信ユニットと、をさらに備え得る。
【０２５１】
図14は、本発明の一実施形態による別の端末の概略構成図である。図14に示すように、端末は、受信機1410と、プロセッサ1420と、送信機1430と、を備え得る。
【０２５２】
送信機1430は、出力サンプルを調整し、アップリンク信号を生成することができ、アップリンク信号は、送信機1430を使用することによって、上記の実施形態におけるRANに送信される。ダウンリンクでは、受信機1410は、上記の実施形態におけるRANによって送信されたダウンリンク信号を受信する。受信機1410は、信号を受信し、入力サンプルを供給する。プロセッサ1420は、アップリンクで送信されるサービスデータおよびシグナリングメッセージを受信し、サービスデータおよびシグナリングメッセージを処理する。
【０２５３】
具体的には、受信機1410は、RANによって送信された第1のメッセージを受信し、第1のメッセージがRANによって取得されたネットワークスライス情報を含む、ように構成される。
【０２５４】
プロセッサ1420は、受信ユニットによって受信されたネットワークスライス情報に基づいて、アクセス対象の第1のネットワークスライスの第1の属性情報を選択するように構成される。
【０２５５】
送信機1430は、RANが端末によるアクセス対象の第2のネットワークスライスを判定するように、選択ユニットによって選択された第1のネットワークスライスの第1の属性情報に基づいて、第1のアクセス要求メッセージをRANに送信し、第1のネットワークスライスが第2のネットワークスライスと同じまたは異なる、ように構成される。
【０２５６】
端末は、端末のプログラムコードおよびデータを記憶するように構成されるメモリ1440をさらに備え得る。
【０２５７】
本発明における上記無線アクセス装置または端末を実施するためのプロセッサは、中央演算装置（CPU）、汎用プロセッサ、デジタルシグナルプロセッサ（digital signal processoring、DSP）、特定用途向け集積回路（application-specific integrated circuit、ASIC）、フィールドプログラマブルゲートアレイ（field-programmable gate array、FPGA）、もしくは別のプログラマブルロジックデバイス、トランジスタロジックデバイス、ハードウェアコンポーネント、またはこれらの任意の組み合わせであってもよいことに留意されたい。プロセッサは、本発明で開示された内容に関連して説明された様々な例示的な論理ブロック、モジュール、および回路を実装または実行することができる。あるいは、プロセッサは、計算機能を実行するプロセッサの組み合わせ、例えば、1つ以上のマイクロプロセッサの組み合わせ、またはDSPとマイクロプロセッサとの組み合わせであり得る。
【０２５８】
当業者であれば、本明細書で開示した各実施形態において説明した例と組み合わせて、電子的ハードウェア、コンピュータソフトウェア、またはこれらの組み合わせによって、ユニットおよびアルゴリズムステップを実施してよいことをさらに承知しているはずである。ハードウェアとソフトウェアとの交換可能性を明確に説明するために、上記は、機能に基づいて各例の構成およびステップを一般的に説明した。機能をハードウェアで行うかソフトウェアで行うかは、技術的解決策の具体的なアプリケーションと設計制約条件とによって決まる。当業者は、異なる方法を使用して、それぞれの具体的なアプリケーションに対して、説明された機能を実施できるが、こうした実施が、本発明の範囲を超えるものであるとみなすべきではない。
【０２５９】
当業者であれば、各実施形態の上記の方法のそれぞれにおける各ステップの全部または一部をプロセッサに命令するプログラムによって実現することができることを理解するはずである。上記のプログラムは、コンピュータ可読記憶媒体に記憶することができる。記憶媒体は、ランダムアクセスメモリ、読み出し専用メモリ、フラッシュメモリ、ハードディスク、ソリッドステートドライブ、磁気テープ（magnetic tape）、フロッピーディスク（floppy disk）、光ディスク（optical disc）、またはそれらの任意の組み合わせなどの非一時的（non-transitory）媒体である。
【０２６０】
上記の説明は、本発明の単なる例示的な実施形態であり、本発明の保護範囲を限定することを意図するものではない。本発明において開示された技術的範囲内にあり、当業者によって容易に想到される、あらゆる変形や置き換えは、本発明の保護範囲内に含まれるものとする。従って、本発明の保護範囲は、特許請求の範囲の保護範囲に属する。
【符号の説明】
【０２６１】
1110  取得ユニット
1120  送信ユニット
1130  受信ユニット
1140  判定ユニット
1210  受信ユニット
1220  選択ユニット
1230  送信ユニット
1310  プロセッサ
1320  送信機
1330  受信機
1340  メモリ
1350  通信ユニット
1410  受信機
1420  プロセッサ
1430  送信機
1440  メモリ
【図１】
2019526211.tif 000003
【図２Ａ】
2019526211.tif 000004
【図２Ｂ】
2019526211.tif 000005
【図２Ｃ】
2019526211.tif 000006
【図３】
2019526211.tif 000007
【図４Ａ】
2019526211.tif 000008
【図４Ｂ】
2019526211.tif 000009
【図５】
2019526211.tif 000010
【図６】
2019526211.tif 000011
【図７】
2019526211.tif 000012
【図８】
2019526211.tif 000013
【図９】
2019526211.tif 000014
【図１０】
2019526211.tif 000015
【図１１】
2019526211.tif 000016
【図１２】
2019526211.tif 000017
【図１３】
2019526211.tif 000018
【図１４】
2019526211.tif 000019
【手続補正書】
【提出日】平成31年3月20日(2019.3.20)
【手続補正１】
【補正対象書類名】明細書
【補正対象項目名】０００２
【補正方法】変更
【補正の内容】
【０００２】
急速に発展しているモバイル通信システムは、複数のシナリオのサービス要件、例えばモバイルブロードバンドサービス（高精細度映像など）、大規模マシン装置通信、および高信頼モバイル装置通信（車両通信など）のサービス要件を満たす必要がある。異なるシナリオのサービス要件を満たすために、ネットワークは、複数のネットワークスライスに分割され得る。各スライスは、独立したサービスオペレーションとして複数の論理ネットワークを配備することによって形成され、これらの論理ネットワークは物理構造を共有する。独立したネットワーク構造を配備する場合のスライスとは異なり、ここでの各スライスは論理ネットワークとして実装されることとなり、使用される共有構造は、共有処理、記憶、および送信、共有無線スペクトル、ならびに共有ハードウェアプラットフォームを含む。ネットワークスライス方法によれば、構造および部品利用率が高くなる。加えて、物理構造が共有されているため、コストが削減され、他のスライスの安定性とセキュリティに影響を与えることなく、スライスを柔軟かつ独立して構成および管理できる。しかしながら、ネットワークが端末に事前に割り当てられたネットワークスライス識別子を含まない場合、または端末に事前設定されたネットワークスライス識別子を含まない場合、端末がネットワークスライスに正常にアクセスするためにネットワークスライス選択方法が必要とされる。
【手続補正２】
【補正対象書類名】明細書
【補正対象項目名】０００３
【補正方法】変更
【補正の内容】
【０００３】
従来技術では、図1に示すように、端末は、共通の無線アクセスネットワーク（radio access network、RAN）装置を使用することによって、コアネットワーク（core network、CN）にアクセス要求メッセージを送信し、要求メッセージは、端末が望むサービス性能の記述情報を運ぶ。メッセージを受信した後、CNは、端末がネットワークスライスへのアクセスを許可されているか否かを確認する。端末がネットワークスライスにアクセスすることを許可されている場合、CNは、端末種別、または端末によって提供されるサービス性能記述情報およびネットワークスライス関連情報に基づいて、端末のための適切なネットワークスライス識別子を選択する。端末は、ネットワークスライス識別子を運ぶ要求メッセージを所望のRANスライスに送信する。RANは端末のためのCNエンティティを選択し、次いで、RANはCNエンティティにアクセス要求を送信する。CN側のネットワークスライスは、端末がCNに接続され、ユーザプレーン接続が確立されるように、RANを使用することによって応答メッセージを端末に送信する。
【手続補正３】
【補正対象書類名】明細書
【補正対象項目名】０２５０
【補正方法】変更
【補正の内容】
【０２５０】
無線アクセス装置は、無線アクセス装置のプログラムコードおよびデータを記憶するように構成されるメモリ1340と、通信ユニット1350であって、通信ユニット1350が別のネットワークエンティティとの通信をサポートするように構成される、例えば無線アクセス装置とコアネットワークエンティティとの間の通信をサポートするように構成される、通信ユニット1350と、をさらに備え得る。
【手続補正４】
【補正対象書類名】特許請求の範囲
【補正対象項目名】全文
【補正方法】変更
【補正の内容】
【特許請求の範囲】
【請求項１】
ネットワークスライス選択方法であって、
無線アクセス装置（RAN）により、ネットワークスライス情報を取得するステップと、
前記RANにより、第1のメッセージを端末に送信するステップであって、前記第1のメッセージが前記ネットワークスライス情報を含む、ステップと、
前記RANにより、前記端末から第1のアクセス要求メッセージを受信するステップであって、前記第1のアクセス要求メッセージが前記端末によるアクセス対象の第1のネットワークスライスの第2の属性情報を含み、前記第1のネットワークスライスの前記第2の属性情報が前記ネットワークスライス情報に基づいて選択される、ステップと、
前記RANにより、前記端末によるアクセス対象の第2のネットワークスライスを判定するステップであって、前記端末によるアクセス対象の前記第2のネットワークスライスが前記第1のネットワークスライスの前記第2の属性情報に基づいて判定される、ステップと、
を含む方法。
【請求項２】
前記第1のネットワークスライスの前記第2の属性情報が、
前記第1のネットワークスライスの第1の識別子情報、
前記第1のネットワークスライスのキーサービス属性情報、
前記第1のネットワークスライスによってサポートされるサービスに関する情報、
前記第1のネットワークスライスの許可情報、
前記第1のネットワークスライスのコアネットワーク負荷情報、および
前記第1のネットワークスライスのカバレッジ情報
のうちの少なくとも1つを含む、請求項1に記載の方法。
【請求項３】
無線アクセス装置（RAN）により、ネットワークスライス情報を取得する前記ステップが、
前記RANにより、コアネットワーク（CN）から前記ネットワークスライス情報を取得するステップ
を特に含む、請求項1または2に記載の方法。
【請求項４】
前記RANにより、コアネットワーク（CN）から前記ネットワークスライス情報を取得する前記ステップが、
前記RANと前記CNとの間の接続セットアップ過程において、
前記RANにより、セットアップ要求メッセージを前記CNに送信するステップであって、前記セットアップ要求メッセージがスライスサポートのためのRAN能力情報を含む、ステップと、
前記RANにより、前記CNからセットアップ要求応答メッセージを受信するステップであって、前記セットアップ要求応答メッセージが少なくとも1つのネットワークスライス情報を含む、ステップと、
を含む、請求項3に記載の方法。
【請求項５】
前記RANにより、コアネットワーク（CN）から前記ネットワークスライス情報を取得する前記ステップが、
構成更新過程において、前記RANにより、前記CNから構成更新メッセージを受信するステップであって、前記構成更新メッセージが前記CNによって修正された少なくとも1つのネットワークスライス情報を含む、ステップ
を含む、請求項3または4に記載の方法。
【請求項６】
無線アクセス装置（RAN）により、ネットワークスライス情報を取得する前記ステップが、
前記RANにより、運用、管理、および保守（OAM）装置から前記ネットワークスライス情報を取得するステップ
を特に含む、請求項1または2に記載の方法。
【請求項７】
前記第1のアクセス要求メッセージがRRC接続設定完了メッセージである、請求項1から6のいずれか一項に記載の方法。
【請求項８】
前記ネットワークスライス情報が少なくとも1つのネットワークスライスの第1の属性情報を含み、
前記RANにより、第1のメッセージを端末に送信する前記ステップの前に、前記方法が、
前記RANにより、前記少なくとも1つのネットワークスライスの前記第1の属性情報に基づいて、各ネットワークスライスの専用アクセスリソース情報を判定するステップ
をさらに含み、
前記RANにより、第1のメッセージを端末に送信する前記ステップが、
前記RANにより、前記第1のメッセージを前記端末に送信するステップであって、前記第1のメッセージが前記少なくとも1つのネットワークスライスの前記第1の属性情報および各ネットワークスライスの前記専用アクセスリソース情報を含む、ステップ
を特に含み、
前記RANにより、前記端末から第1のアクセス要求メッセージを受信する前記ステップが、
前記RANにより、前記端末が前記少なくとも1つのネットワークスライスの前記第1の属性情報および各ネットワークスライスの前記専用アクセスリソース情報に基づいて前記端末によるアクセス対象の前記第1のネットワークスライスの前記第2の属性情報を選択した後に前記端末から前記第1のアクセス要求メッセージを受信するステップ
を特に含む、請求項1から7のいずれか一項に記載の方法。
【請求項９】
前記ネットワークスライス情報が少なくとも1つのネットワークスライスの第1の識別子情報を含み、
前記RANにより、第1のメッセージを端末に送信する前記ステップが、
前記RANにより、前記第1のメッセージを前記端末に送信するステップであって、前記第1のメッセージが前記少なくとも1つのネットワークスライスの前記第1の識別子情報を含む、ステップ
を特に含み、
前記RANにより、前記端末から第1のアクセス要求メッセージを受信する前記ステップが、
前記RANにより、前記端末が前記少なくとも1つのネットワークスライスの前記第1の識別子情報に基づいて前記第1のネットワークスライスの前記第2の属性情報を選択した後に前記端末から前記第1のアクセス要求メッセージを受信するステップであって、前記第1のアクセス要求メッセージが前記第1のネットワークスライスの第1の識別子情報を含む、ステップ
を特に含む、請求項1から7のいずれか一項に記載の方法。
【請求項１０】
ネットワークスライス選択方法であって、
端末により、無線アクセス装置（RAN）から第1のメッセージを受信するステップであって、前記第1のメッセージが前記RANによって取得されたネットワークスライス情報を含む、ステップと、
前記端末により、前記ネットワークスライス情報に基づいて、前記端末によるアクセス対象の第1のネットワークスライスの第2の属性情報を選択するステップと、
前記端末により、第1のアクセス要求メッセージを前記RANに送信するステップであって、前記第1のアクセス要求メッセージが前記第1のネットワークスライスの前記第2の属性情報を含む、ステップと、
を含む方法。
【請求項１１】
前記第1のネットワークスライスの前記第2の属性情報が、
前記第1のネットワークスライスの第1の識別子情報、
前記第1のネットワークスライスのキーサービス属性情報、
前記第1のネットワークスライスによってサポートされるサービスに関する情報、
前記第1のネットワークスライスの許可情報、
前記第1のネットワークスライスのコアネットワーク負荷情報、および
前記第1のネットワークスライスのカバレッジ情報
のうちの少なくとも1つを含む、請求項10に記載の方法。
【請求項１２】
前記ネットワークスライス情報が少なくとも1つのネットワークスライスの第1の属性情報を含み、
端末により、無線アクセス装置（RAN）から第1のメッセージを受信する前記ステップが、
前記端末により、前記RANから前記第1のメッセージを受信するステップであって、前記第1のメッセージが、前記少なくとも1つのネットワークスライスの前記第1の属性情報および前記少なくとも1つのネットワークスライスの前記第1の属性情報に基づいて前記RANによって判定された各ネットワークスライスの専用アクセスリソース情報を含む、ステップ
を特に含み、
前記端末により、前記ネットワークスライス情報に基づいて、前記端末によるアクセス対象の第1のネットワークスライスの第2の属性情報を選択する前記ステップが、
前記端末により、前記少なくとも1つのネットワークスライスの前記第1の属性情報および各ネットワークスライスの前記専用アクセスリソース情報に基づいて、前記端末によるアクセス対象の前記第1のネットワークスライスの専用アクセスリソース情報を選択するステップ
を特に含み、
前記端末により、第1のアクセス要求メッセージを前記RANに送信する前記ステップが、
前記端末により、前記第1のネットワークスライスの前記専用アクセスリソース情報に基づいて、前記第1のネットワークスライスの専用アクセスリソースで前記第1のアクセス要求メッセージを前記RANに送信するステップ
を特に含む、請求項10または11に記載の方法。
【請求項１３】
前記ネットワークスライス情報が少なくとも1つのネットワークスライスの第1の識別子情報を含み、
端末により、無線アクセス装置（RAN）から第1のメッセージを受信する前記ステップが、
前記端末により、前記RANから前記第1のメッセージを受信するステップであって、前記第1のメッセージが前記少なくとも1つのネットワークスライスの前記第1の識別子情報を含む、ステップ
を特に含み、
前記端末により、前記ネットワークスライス情報に基づいて、前記端末によるアクセス対象の第1のネットワークスライスの第2の属性情報を選択する前記ステップが、
前記端末により、前記少なくとも1つのネットワークスライスの前記第1の識別子情報に基づいて、前記端末によるアクセス対象の前記第1のネットワークスライスの第1の識別子情報を選択するステップ
を特に含み、
前記端末により、第1のアクセス要求メッセージを前記RANに送信する前記ステップが、
前記端末により、前記第1のネットワークスライスの前記第1の識別子情報に基づいて、前記第1のアクセス要求メッセージを前記RANに送信するステップであって、前記第1のアクセス要求メッセージが前記第1のネットワークスライスの前記第1の識別子情報を含む、ステップ
を特に含む、請求項10または11に記載の方法。
【請求項１４】
端末により、無線アクセス装置（RAN）から第1のメッセージを受信する前記ステップの前に、前記方法が、
前記端末により、第2のメッセージを前記RANに送信するステップであって、前記第2のメッセージが、前記端末が前記RANにアクセスしようとしていることを示す指示情報を含む、ステップと、
前記端末により、前記指示情報に基づいて、前記RANから前記第1のメッセージを受信するステップと、
をさらに含む、請求項10または11に記載の方法。
【請求項１５】
前記ネットワークスライス情報が少なくとも1つのネットワークスライスの第1の属性情報を含み、
端末により、無線アクセス装置（RAN）から第1のメッセージを受信する前記ステップの前に、前記方法が、
前記端末により、前記RANから第3のメッセージを受信するステップであって、前記第3のメッセージが、前記少なくとも1つのネットワークスライスの前記第1の属性情報に基づいて前記RANによって判定された、前記少なくとも1つのネットワークスライスの共通アクセスリソース情報および前記少なくとも1つのネットワークスライスの専用アクセスリソース情報、ならびに前記ネットワークスライスの前記共通アクセスリソース情報に基づいて前記ネットワークスライスにプリアンブル割り当てを実行することによって前記RANによって取得された、グループ化によって取得されたネットワークスライスグループに関する情報、前記ネットワークスライスグループの共通アクセスリソース情報、および前記ネットワークスライスグループの前記共通アクセスリソース情報に対応するプリアンブルを含む、ステップと、
前記端末により、前記ネットワークスライスグループに関する前記情報、前記ネットワークスライスグループの前記共通アクセスリソース情報、および前記ネットワークスライスの前記共通アクセスリソース情報に対応する前記プリアンブルに基づいて、アクセス対象のネットワークスライスグループを選択するステップと、
前記端末により、第4のメッセージを前記RANに送信するステップであって、前記第4のメッセージが前記アクセス対象のネットワークスライスグループのプリアンブルを含む、ステップと、
をさらに含み、
端末により、無線アクセス装置（RAN）から第1のメッセージを受信する前記ステップが、
前記端末により、前記RANが前記ネットワークスライスグループの前記プリアンブルに基づいて前記ネットワークスライスグループを判定した後に前記RANから前記第1のメッセージを受信するステップであって、前記第1のメッセージが前記ネットワークスライスグループ内の各ネットワークスライスの専用アクセスリソース情報および前記ネットワークスライスグループ内の各ネットワークスライスの属性情報を含む、ステップ
を特に含み、
前記端末により、前記ネットワークスライス情報に基づいて、前記端末によるアクセス対象の第1のネットワークスライスの第2の属性情報を選択する前記ステップが、
前記端末により、前記ネットワークスライスグループ内の各ネットワークスライスの前記専用アクセスリソース情報および前記ネットワークスライスグループ内の各ネットワークスライスの前記属性情報に基づいて、前記端末によるアクセス対象の前記第1のネットワークスライスの専用アクセスリソース情報を選択するステップ
を特に含み、
前記端末により、第1のアクセス要求メッセージを前記RANに送信する前記ステップが、
前記端末により、前記第1のネットワークスライスの前記専用アクセスリソース情報に基づいて、前記第1のネットワークスライスの専用アクセスリソースで前記第1のアクセス要求メッセージを前記RANに送信するステップ
を特に含む、請求項10または11に記載の方法。
【請求項１６】
前記ネットワークスライス情報が少なくとも1つのネットワークスライスの第1の属性情報を含み、
端末により、無線アクセス装置（RAN）から第1のメッセージを受信する前記ステップが、
前記端末により、前記RANから前記第1のメッセージを受信するステップであって、前記第1のメッセージが、前記少なくとも1つのネットワークスライスの前記第1の属性情報に基づいて前記RANによって判定された前記少なくとも1つのネットワークスライスの第2の識別子情報を含む、ステップ
を特に含み、
前記端末により、前記ネットワークスライス情報に基づいて、前記端末によるアクセス対象の第1のネットワークスライスの第2の属性情報を選択する前記ステップが、
前記端末により、前記少なくとも1つのネットワークスライスの前記第2の識別子情報に基づいて、前記端末によるアクセス対象の前記第1のネットワークスライスの第2の識別子情報を選択するステップ
を特に含み、
前記端末により、第1のアクセス要求メッセージを前記RANに送信する前記ステップが、
前記端末により、前記第1のネットワークスライスの前記第2の識別子情報に基づいて、前記第1のアクセス要求メッセージを前記RANに送信するステップであって、前記第1のアクセス要求メッセージが前記第1のネットワークスライスの前記第2の識別子情報を含む、ステップ
を特に含む、請求項10または11に記載の方法。
【請求項１７】
前記ネットワークスライス情報が少なくとも1つのネットワークスライスの第1の属性情報を含み、
前記端末により、前記ネットワークスライス情報に基づいて、前記端末によるアクセス対象の第1のネットワークスライスの第2の属性情報を選択する前記ステップが、
前記端末により、前記端末の属性情報に基づいて、前記少なくとも1つのネットワークスライスの前記第1の属性情報から前記端末によるアクセス対象の前記第1のネットワークスライスの前記第2の属性情報を選択するステップ
を特に含む、請求項10または11に記載の方法。
【請求項１８】
前記端末により、第2のネットワークスライスの第2の属性情報に基づいて前記RANから第1のアクセス応答メッセージを受信するステップであって、前記第1のアクセス応答メッセージが、前記端末が前記第2のネットワークスライスにアクセスするように、前記端末によるアクセス対象であり、かつコアネットワーク（CN）によって選択される前記第2のネットワークスライスの前記第2の属性情報を含む、ステップ
をさらに含む、請求項10または11に記載の方法。
【請求項１９】
無線アクセス装置（RAN）であって、
ネットワークスライス情報を取得するように構成されるプロセッサと、
第1のメッセージを端末に送信し、前記第1のメッセージが前記ネットワークスライス情報を含む、ように構成される送信機と、
前記端末から第1のアクセス要求メッセージを受信し、前記第1のアクセス要求メッセージが前記端末によるアクセス対象の第1のネットワークスライスの第2の属性情報を含み、前記第1のネットワークスライスの前記第2の属性情報が前記ネットワークスライス情報に基づいて選択される、ように構成される受信機と、
を備え、
前記プロセッサが、前記第1のネットワークスライスの前記第2の属性情報に基づいて、前記端末によるアクセス対象の第2のネットワークスライスを判定するように構成される、無線アクセス装置。
【請求項２０】
前記第1のネットワークスライスの前記第2の属性情報が、
前記第1のネットワークスライスの第1の識別子情報、
前記第1のネットワークスライスのキーサービス属性情報、
前記第1のネットワークスライスによってサポートされるサービスに関する情報、
前記第1のネットワークスライスの許可情報、
前記第1のネットワークスライスのコアネットワーク負荷情報、および
前記第1のネットワークスライスのカバレッジ情報
のうちの少なくとも1つを含む、請求項19に記載の無線アクセス装置。
【請求項２１】
前記プロセッサが、コアネットワーク（CN）から前記ネットワークスライス情報を取得するように特に構成される、請求項19または20に記載の無線アクセス装置。
【請求項２２】
前記プロセッサが、
前記RANと前記CNとの間の接続セットアップ過程において、
セットアップ要求メッセージを前記CNに送信し、前記セットアップ要求メッセージがスライスサポートのためのRAN能力情報を含み、
前記CNからセットアップ要求応答メッセージを受信し、前記セットアップ要求応答メッセージが少なくとも1つのネットワークスライス情報を含む、
ように特に構成される、請求項21に記載の無線アクセス装置。
【請求項２３】
前記プロセッサが、構成更新過程において、前記CNから構成更新メッセージを受信し、前記構成更新メッセージが前記CNによって修正された少なくとも1つのネットワークスライス情報を含む、ように特に構成される、請求項21または22に記載の無線アクセス装置。
【請求項２４】
前記プロセッサが、運用、管理、および保守（OAM）装置から前記ネットワークスライス情報を取得するように特に構成される、請求項19または20に記載の無線アクセス装置。
【請求項２５】
前記第1のアクセス要求メッセージがRRC接続設定完了メッセージである、請求項19から24のいずれか一項に記載の無線アクセス装置。
【請求項２６】
前記ネットワークスライス情報が少なくとも1つのネットワークスライスの第1の属性情報を含み、
前記送信機が前記第1のメッセージを前記端末に送信する前に、前記プロセッサは、前記少なくとも1つのネットワークスライスの前記第1の属性情報に基づいて、各ネットワークスライスの専用アクセスリソース情報を判定するようにさらに構成され、
前記送信機は、前記RANのために、前記第1のメッセージを前記端末に送信し、前記第1のメッセージが前記少なくとも1つのネットワークスライスの前記第1の属性情報および各ネットワークスライスの前記専用アクセスリソース情報を含む、ように特に構成され、
前記受信機は、前記端末が前記少なくとも1つのネットワークスライスの前記第1の属性情報および各ネットワークスライスの前記専用アクセスリソース情報に基づいて前記端末によるアクセス対象の前記第1のネットワークスライスの前記第2の属性情報を選択した後に前記端末から前記第1のアクセス要求メッセージを受信するように特に構成される、請求項19から25のいずれか一項に記載の無線アクセス装置。
【請求項２７】
前記ネットワークスライス情報が少なくとも1つのネットワークスライスの第1の識別子情報を含み、
前記送信機が、前記第1のメッセージを前記端末に送信し、前記第1のメッセージが前記少なくとも1つのネットワークスライスの前記第1の識別子情報を含む、ように特に構成され、
前記受信機が、前記端末が前記少なくとも1つのネットワークスライスの前記第1の識別子情報に基づいて前記第1のネットワークスライスの前記第2の属性情報を選択した後に前記端末から前記第1のアクセス要求メッセージを受信し、前記第1のアクセス要求メッセージが前記第1のネットワークスライスの第1の識別子情報を含む、ように特に構成される、請求項19から25のいずれか一項に記載の無線アクセス装置。
【請求項２８】
前記送信機が前記第1のメッセージを前記端末に送信する前に、
前記受信機は、前記端末から第3のメッセージを受信し、前記第3のメッセージが、前記端末が前記RANにアクセスしようとしていることを示す指示情報を含む、ようにさらに構成され、
前記送信機は、前記指示情報に基づいて前記第1のメッセージを前記端末に送信するようにさらに構成される、請求項26または27に記載の無線アクセス装置。
【請求項２９】
端末であって、
無線アクセス装置（RAN）から第1のメッセージを受信し、前記第1のメッセージが前記RANによって取得されたネットワークスライス情報を含む、ように構成される受信機と、
前記端末によるアクセス対象の第1のネットワークスライスの第2の属性情報を選択し、前記第1のネットワークスライスの前記第2の属性情報が前記受信機によって受信された前記ネットワークスライス情報に基づいて選択される、ように構成されるプロセッサと、
第1のアクセス要求メッセージを前記RANに送信し、前記第1のアクセス要求メッセージが前記第1のネットワークスライスの前記第2の属性情報を含む、ように構成される送信機と、
を備える端末。
【請求項３０】
前記第1のネットワークスライスの前記第2の属性情報が、
前記第1のネットワークスライスの第1の識別子情報、
前記第1のネットワークスライスのキーサービス属性情報、
前記第1のネットワークスライスによってサポートされるサービスに関する情報、
前記第1のネットワークスライスの許可情報、
前記第1のネットワークスライスのコアネットワーク負荷情報、および
前記第1のネットワークスライスのカバレッジ情報
のうちの少なくとも1つを含む、請求項29に記載の端末。
【請求項３１】
前記ネットワークスライス情報が少なくとも1つのネットワークスライスの第1の属性情報を含み、
前記受信機は、前記RANから前記第1のメッセージを受信し、前記第1のメッセージが、前記少なくとも1つのネットワークスライスの前記第1の属性情報および前記少なくとも1つのネットワークスライスの前記第1の属性情報に基づいて前記RANによって判定された各ネットワークスライスの専用アクセスリソース情報を含む、ように特に構成され、
前記プロセッサは、前記少なくとも1つのネットワークスライスの前記第1の属性情報および各ネットワークスライスの前記専用アクセスリソース情報に基づいて、前記端末によるアクセス対象の前記第1のネットワークスライスの専用アクセスリソース情報を選択するように特に構成され、
前記送信機は、前記第1のネットワークスライスの前記専用アクセスリソース情報に基づいて、前記第1のネットワークスライスの専用アクセスリソースで前記第1のアクセス要求メッセージを前記RANに送信するように特に構成される、請求項29または30に記載の端末。
【請求項３２】
前記ネットワークスライス情報が少なくとも1つのネットワークスライスの第1の識別子情報を含み、
前記受信機は、前記RANから前記第1のメッセージを受信し、前記第1のメッセージが前記少なくとも1つのネットワークスライスの前記第1の識別子情報を含む、ように特に構成され、
前記プロセッサは、前記少なくとも1つのネットワークスライスの前記第1の識別子情報に基づいて、前記端末によるアクセス対象の前記第1のネットワークスライスの第1の識別子情報を選択するように特に構成され、
前記送信機は、前記第1のネットワークスライスの前記第1の識別子情報に基づいて、前記第1のアクセス要求メッセージを前記RANに送信し、前記第1のアクセス要求メッセージが前記第1のネットワークスライスの前記第1の識別子情報を含む、ように特に構成される、請求項29または30に記載の端末。
【請求項３３】
前記受信機が前記RANから前記第1のメッセージを受信する前に、
前記送信機は、第2のメッセージを前記RANに送信し、前記第2のメッセージが、前記端末が前記RANにアクセスしようとしていることを示す指示情報を含む、ようにさらに構成され、
前記受信機は、前記指示情報に基づいて、前記RANから前記第1のメッセージを受信するようにさらに構成される、請求項31または32に記載の端末。
【請求項３４】
ネットワークスライス選択システムであって、
無線アクセス装置（RAN）と、端末と、を含み、
前記RANが、ネットワークスライス情報を取得し、
前記RANが、第1のメッセージを前記端末に送信し、前記第1のメッセージが前記ネットワークスライス情報を含み、
前記端末が、前記ネットワークスライス情報に基づいて、前記端末によるアクセス対象の第1のネットワークスライスの第2の属性情報を選択し、
前記端末が、第1のアクセス要求メッセージを前記RANに送信し、前記第1のアクセス要求メッセージが前記第1のネットワークスライスの前記第2の属性情報を含み、
前記RANが、前記端末によるアクセス対象の第2のネットワークスライスを判定し、前記端末によるアクセス対象の前記第2のネットワークスライスが前記第1のネットワークスライスの前記第2の属性情報に基づいて判定される、システム。
【請求項３５】
請求項1から9のいずれか一項に記載の方法をコンピュータに実行させるプログラム。
【請求項３６】
請求項10から18のいずれか一項に記載の方法をコンピュータに実行させるプログラム。
【国際調査報告】
2019526211.tif 000020
2019526211.tif 000021
2019526211.tif 000022
2019526211.tif 000023